(57)【要約】【課題】  体の不自由な高齢者やトイレに行く動作が難しい人は、便器が固定されたままのトイレは、体の動作に不安を感じている。【解決手段】  固定した便器は体の不自由な人に負担が多く、移動式自動水洗トイレは電磁石フランジが磁力で自動接続切り離し作業をするので、切り離された便器は体の不自由な人の側に近づき使用できる。また自動制御操作を使い移動式自動水洗トイレが動く仕組みで、台車に載せた便器は単独で動く移動式自動水洗トイレである。又台車に載せたリフターは便器を上下に動作する。さらに電磁石フランジを使用する事で人の手を省きシステム自動化を可能にした。【選択図】図１
2009235796.tif 000002
【特許請求の範囲】
【請求項１】
床面上に架台を固定し汚水管と給水管を架台に取り付け固定する、配管継ぎ手は電磁石マグネットフランジを使用し、フランジ双方にパッキンの溝がある、架台側のフランジにパッキンが装着してあり、汚水管と給水管のフランジは接続切り離しを電磁石マグネットフランジで行う事を特徴とする移動式自動水洗トイレ。
【請求項２】
移動式自動水洗トイレは数回使用できる、給水タンクと汚水タンクを台車に備え使用後元の位置に戻る事を特徴する請求項１に記載の移動式自動水洗トイレ。
【請求項３】
電磁石マグネットフランジは、架台側フランジに内蔵したコイルが、電磁石をお越し汚水管及び給水管にフランジを取り付け使用する、台車側はコイルの無いフランジを取り付けて、電磁石マグネットフランジは電力をONとOFFに切り替えフランジの接続切り離しする事を特徴とする請求項１又は請求項２に記載の移動式自動水洗トイレ。
【請求項４】
台車が架台に接続する際に、車輪を正確な位置に電磁石マグネットフランジと接続するために、床に車輪のガイドレールストッパーを設け定位置で確実に接続する、又台車に載せたバッテリーを使いモーターで前輪が左右駆動する事を特徴とする請求項１〜請求項３の何れかに記載の移動式自動水洗トイレ。
【請求項５】
台車に載せた便器は上下に動く事を特徴とする請求項１〜請求項４の何れかに記載の移動式自動水洗トイレ。
【発明の詳細な説明】
【技術分野】
【０００１】
移動式自動水洗トイレは高齢者や身体障害者の体の不自由と下肢筋力低下の衰えに、移動式自動水洗トイレは移動して使用者の身近に近づく事はトイレまで行く動作を省く、老人福祉施設及び身体障害者リハビリテーション病院施設の病棟には、数人が共同入院生活しているが、移動式自動水洗トイレは使用者と介護人に接続作業を省き負担が無くす。
【背景技術】
【０００２】
給水管汚水管の接続に継ぎ手を使うが、どのように接続するか方法が詳細に示されていない、よって人の手が必要である(例えば、特許文献３を参照)。
【０００３】
従来の〔特許文献３〕移動式水洗トイレは台車に便器を載せ移動式水洗トイレを考えているが、技術的に接続部分は手動で使用者の負担と手間が掛かる。
【０００４】
移動簡易水洗トイレ〔特許文献２〕は配管接続の説明が明確でない、設備は多く備えているが、水洗トイレとして使用するには排泄物の継ぎ手と、配管接続部分説明が明確に示されていない、人の手が必要である。
【０００５】
現在はポータブル便器とオムツが主に排泄・排尿を補っている、使用者は危険な動作を省き自立した排泄・排尿が出来ない状態である。
【０００６】
自立した排泄・排尿は介護の手を省き体力的にも衰えを防ぐ、ポータブル便器が身近にある事は体力の無い高齢者・障害者には大きな助けになっている。
【０００７】
便器が自在に動く移動式便器は、体の不自由な人の排泄・排尿を助ける為には、使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００８】
固定した便器は体力の無い体の不自由な人に、トイレへの移動は非常に困難であるため、介護の手を借りるのが現状である、体の不自由からオムツを使い寝たきりの傾向が増えるため、自立心が失われ介護人の世話を受けるようになる、少しでも介護人の手を省き自立した排泄・排尿を提供することを課題とした。
【課題を解決するための手段】
【０００９】
本発明は、目的を達成する為に床面上に架台を固定し汚水管と給水管を架台に取り付け固定する、配管継ぎ手は電磁石マグネットフランジを使用して、フランジ双方にパッキンの溝があり、架台側のフランジにパッキンが装着してある、汚水管と給水管のフランジは接続切り離しを電磁石マグネットフランジで行う移動式自動水洗トイレは数回使用できる、給水タンクと汚水タンクを台車に備え使用後元の位置に戻る。電磁石マグネットフランジは、架台側にコイルが内蔵したフランジを汚水管及び給水管に取り付け、台車側はコイルの無いフランジを取り付けて、電磁石マグネットフランジは電力をONとOFFに切り替えフランジの接続切り離しをする。台車が架台に接続する際に、車輪を正確な位置に電磁石マグネットフランジと接続するために、床に車輪のガイドレールストッパーを設け定位置で確実に接続する、又台車に載せたバッテリーを使いモーターで前輪が左右駆動する。台車に載せた便器は上下に動く事を特徴とする移動式自動水洗トイレである。
【００１０】
本発明記載の請求項２に係る移動式自動水洗トイレは数回の使用ができる、台車には汚水タンク給水タンクを備え自動で便器洗浄から排泄まで済ませ人手不足の解決になる。
【００１１】
本発明記載の請求項３に係る移動式自動水洗トイレは、台車が架台に接続する際に車輪を正確な位置で自動接続するために、床に車輪のガイドレールストパーを設け接続時に配管継ぎ手も確実に接続する仕組みである。必要に応じた制御操作も多様にある。
【００１２】
本発明記載の請求項４に係る移動式自動水洗トイレは便器本体が固定概念から外れて考えた、高齢者は下肢筋力低下の衰えを軽くする為に便器の上下することを考え、よって移動式便器に上下動作を加えた水洗トイレは使用者の身になって考え、台車に載せた便器が上下に動く構図は他には無い。
【発明の効果】
【００１３】
今後役に立つ方法
現在老人福祉施設の急増と老人福祉施設の不足が大きな社会問題化している、年々高齢者の増加と共に介護人の人手不足が深刻な状況で、高齢者が安心した生活環境を過ごす為に、福祉機器用具が大きな役割を果たす時期に来ました。移動式自動水洗トイレは架台から台車が自動で接続切り離しの出来る装置は、台車に載せた便器が移動し高齢者や体の不自由な人の身近に近づく、安心した排泄・排尿を自動で提供する、このような状態は自立支援につながり、老人福祉施設や身体障害者リハビリテーション病院施設の病棟では、複数人で移動式自動水洗トイレを自動システム化する事で人手不足も省ける。経済効果も大きく期待できる。
【発明を実施するための最良の形態】
【００１４】
次に、本発明の実施例について図面を参照しながら説明する。
【実施例】
【００１５】
〔実施例１〕図１は本発明移動式自動水洗トイレの全体移動斜図である。
【００１６】
図１において、１は移動式自動水洗トイレである、後部に給水管１７と汚水管１８を架台１２に固定させて、台車２と接続する際に双方の電磁石マグネットフランジ１９を取り付け、電磁石マグネットフランジ１９は接続切り離れができる、よって接続時に車輪は７を通して８で止まる、台車の上に載せたリフター図４に便器上下動作を示している、給水タンク２９は水洗トイレの水を溜めて水圧ポンプ３０水洗を使いトイレを円滑に出来るようにしている、汚水タンク２７は水洗トイレを使用した排泄物を溜めて、後で一緒に処理される。手摺り５便座４便器蓋と６水圧ポンプ３０を載せた、移動式自動水洗トイレに必要な器具として図１に示している、台車は図１に示すようにガイドレール１６に車輪が入りガイドストパー８で止まる、止まると同時に汚水管１８と給水管１７双方は強力マグネットフランジ図９が自動接続する仕組みである。
【００１７】
図２において、床より汚水管１８給水管１７を架台１２に固定して、電磁石マグネットフランジ図９に示している、汚水管１８と給水管１７双方の配管接続切り離れを示している。排泄物点検口２８は架台１２に汚水管１８と給水管１７は図２に示しているように固定している、
【００１８】
図３において、台車２が切り離れ単独で電動モーター４０を使い動作してフランジ１９の自動接続切り離し図８図９は切り離れた際に、バルブ３３と自動開閉弁４２で密閉され漏れる事はない、給水タンク(２９)汚水タンク(２７)双方のタンクを備え，移動式自動水洗トイレ図１はフラシュバルブ（３１）を自動操作で使用して、水洗機能を円滑にする為に水圧ポンプ（３０）を備え給水タンク（２９）に一定圧を加え円滑な水洗トイレを可能にする。架台（１２）から台車（２）が切り離れた際に双方フランジ（１９）の手前に自動開閉弁（４２）で密閉され漏れる事は無い。
【００１９】
図４において、便器下部にリフター（３７）を備え油圧シリンダー（３８）でリフターを上下動作できるように図示している、上下動作と共にフレシキホース３２によって。便器先端にサポート２５を取り付けてある。
【００２０】
図５において、架台１２へ台車２が接続する様子図５を矢印で図示している、図１のガイドレール１６を通りガイドレールスットパー８で止まる、双方に逆支弁３９を使用し逆流しない。
【００２１】
図６において、架台１２と台車２の双方が電磁石マグネットフランジ１９を介して接続を図示で示している、双方のバルブ３３は接続同時に自動開閉弁４２で開き、汚水タンク２７の排泄物処理をはじめる、
【００２２】
図７において、架台１２から台車２が電磁石マグネットフランジ１９を使用して、切り離れる様子図７を図示している、
【００２３】
図８において、電磁石マグネットフランジ１９の拡大した図８で説明する、電磁石マグネットフランジ１９は切り離れた際にフランジに突起したピン２０に相手フランジの穴２４に入り易く、先端を丸く削られている、図８２０は相手フランジ２４の穴に入る事で、双方のフランジはズレる心配はなく接続される、接続する際にフランジ接続ガイド２１に依ってフランジのズレを２重にガイドしている、又図８フランジの溝４３にゴムパッキンを埋め込み、双方のゴムパッキン溝で排泄物の漏れはない。
【００２４】
図９において、台車と架台が接続している様子を拡大して説明する、フランジに突起したピン２０に相手フランジの穴２４に入り、フランジの溝４３にゴムパッキンを埋め込み、台車図３電動モーター４０は前輪１４に駆動させて自動走行する、又前輪１４には制御操作で作動している、図示していないがバッテリーを使い動作させる。
【００２５】
図１０全体図にシステム化を考えた図である。移動式自動水洗トイレを老人福祉施設や障害者リハビリ病院施設で４〜５人部屋図１０の構図である。各部屋寝台５３の側に備えた制御操作５１はコントロールボックス４７で制御される。制御配線５０は各部屋からコントロールボックス４７へ配線されている。自動制御はバルブ操作走行操作及び制御に係る事は、コントロールボックス４７から指令される、制御盤４７から台車２へセンサー制御で台車が指令を受けて動く。台車２は収納場所４８で待機している、各部屋寝台５３操作スイッチ５１から制御配線５０を通り指令して使用する。電磁力マグネットフランジ１９は接続切り離し作業を省くため自動で操作が可能となる、架台１２から台車２が切り離れ単独で目的場所まで自動制御操作で動く事が出来る。台車２に載せた便器１は体の不自由な人の場所５３まで移動して、介護人の世話を受けずに自立した排泄・排尿が出来ることを特徴とする移動式自動水洗トイレである。
この発明の一実施形態を図１に示す。
「実施形態の効果」
【００２６】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００２７】
図１の実施形態では、台車に便器を載せた移動式自動水洗トイレは、強力マグネットフランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００２８】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００２９】
【図１】本発明移動式自動水洗トイレの全体移動斜図
【図２】架台に固定した電磁石マグネットフランジを示す図
【図３】台車だけの側面全体図
【図４】台車に取り付けたリフターで便器を上下動作図
【図５】台車が架台に近寄り電磁石マグネットフランジで接続手前の側面図
【図６】架台と台車が電磁石マグネットフランジで接続側面図
【図７】台車と架台が切り離れた側面図
【図８】電磁石マグネットフランジの切り離れた側面図
【図９】電磁石マグネットフランジの接続側面図
【図１０】台車の配置と各部屋の配置図及び制御盤
【符号の説明】
【００３０】
１・水洗便器              
２・台車には器具が多く積まれている    
３・便器サポート        
４・便座                  
５・手摺り        
６・便座蓋      
７・車輪ガイドレール    
８・車輪ガイドストッパ
９・後輪        
１０・給水電磁石マグネットフランジ    
１１・自動開閉バルブ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・電磁石マグネットフランジ          
２０・電磁石マグネットフランジ接続ピン
２１・電磁石マグネットフランジ接続ガイド      
２２・汚物排泄口      
２３・給水管受け入れ    
２４・電磁石マグネットフランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブ        
３２・フレシキブルホース          
３３・ボールバルブ      
３４・グローブバルブ        
３５・給水管出口          
３６・汚水管入口                  
３７・リフター              
３８・リフター油圧シリンダー内臓      
３９・チャッキバルブ                      
４０・前輪駆動車輪電動モーター  
４１・ボール底部溜め水  
４２・自動開閉弁装置                    
４３・パッキンリング  
４４・フランジパッキンの溝      
４５・パイプ接続
４６・フランジ接続接点
４７・集合コントロールボックス
４８・台車収納場所
４９・各部屋寝台台車定位置
５０・制御配線
５１・各寝台制御操作スイッチ
５２・台車格納ガイドレール
５３・寝台
【図１】
2009235796.tif 000003
【図２】
2009235796.tif 000004
【図３】
2009235796.tif 000005
【図４】
2009235796.tif 000006
【図５】
2009235796.tif 000007
【図６】
2009235796.tif 000008
【図７】
2009235796.tif 000009
【図８】
2009235796.tif 000010
【図９】
2009235796.tif 000011
【図１０】
2009235796.tif 000012
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
床面上に汚水管と給水管の配管を架台に固定させて、配管継ぎ手は電磁石フランジを使い、架台側のフランジに電磁石装置を備えパッキンを装着してある。フランジ双方にパッキンの溝があり、汚水管と給水管のフランジは接続切り離しを電磁石フランジで行う事を特徴とする移動式自動水洗トイレ。
【請求項２】
移動式自動水洗トイレは数回使用できる、給水タンクと汚水タンクを台車に備え使用後元の位置に戻り、接続した後汚水タンク内は清掃する事を特徴する請求項１に記載の移動式自動水洗トイレ。
【請求項３】
電磁石フランジは、架台側フランジに電磁石装置を内蔵したソレノイドは、電磁石を興し双方のフランジを磁力で自動に接続切り離しをする、汚水管及び給水管の電磁石装置は自動接続を電力のオンとオフに切り替えてフランジの接続切り離しする事を特徴とする請求項１又は請求項２に記載の移動式自動水洗トイレ。
【請求項４】
台車が架台に接続する際に、車輪を正確な位置で電磁石フランジと接続するために、床に車輪のガードレールストッパーを設け定位置で接続できる仕組みである。又台車に載せた充電器はモーターを稼動させて前輪は制御操作して目的に移動する事を特徴とする請求項１〜請求項３の何れかに記載の移動式自動水洗トイレ。
【請求項５】
台車に載せた便器の部分は上下に動く事を特徴とする請求項１〜請求項４の何れかに記載の移動式自動水洗トイレ。
【手続補正２】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している、移動式自動水洗トイレは移動して使用者の身近に近づき便器を使い易く、便器まで行く動作を省く、使用者が気楽に使用できる事にかんするものである。
【背景技術】
【０００３】
給水管汚水管の接続に継ぎ手を使うが、どのように接続するか方法が詳細に示されていない、よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、人の手が必要である。
【０００６】
現在はポータブル便器とオムツが主に排泄・排尿を補っている、使用者は危険な動作を省き自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭は別にして大きな助けになっている。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレへの移動は非常に困難であるため、介護の手を借りるのが現状である、体の不自由からオムツを使い寝たきりの傾向が増えるため、自立心が失われ介護人の世話を受けるようになる、少しでも介護人の手を省き自立した排泄・排尿を提供することを課題とした。
【課題を解決するための手段】
【００１０】
本発明記載の請求項１に係る移動式自動水洗トイレは、目的を達成する為に床面上に固定した架台に汚水管と給水管を架台に取り付け固定する、配管継ぎ手は電磁石フランジを使用して、フランジ内の電磁石装置は電力をオンとオフに切り替えて使用する。配管接続切り離し作業は自動で人手を省く事が出来る。配管の漏れの無いようにフランジ双方にパッキンの溝が構成してあり、架台側のフランジにはパッキンを装着してある、移動式自動水洗トイレは数回使用できる、給水タンクと汚水タンクを台車に備え使用後元の位置に戻り、タンク内の排泄物は洗い流し清掃する。架台側フランジに電磁石装置が内蔵したフランジを汚水管及び給水管に取り付け、台車側は電磁石の無いフランジを取り付け、台車が架台に接続する際に、車輪は正確な位置でフランジと接続する。電磁石フランジは接続するために床の車輪にガードレールストッパーを設け定位置で停止して接続する、又台車に載せたバッテリーを使いモーターは前輪が左右制御駆動する。台車に載せた便器は上下に動き移動して使う事が出来るようになる。
【００１１】
本発明記載の請求項２に係る移動式自動水洗トイレは、請求項１において、排泄及び排尿が数回の使用ができる、台車には汚水タンク給水タンクを備え、便器洗浄から排泄物の処理とタンク内の清掃まで自動で済ませ人手不足の解決になる。
【００１２】
本発明記載の請求項３に係る移動式自動水洗トイレは、請求項１又は、２において、電磁石フランジは、架台側フランジに電磁石装置を内蔵したソレノイドは、電磁石を興し双方のフランジは磁力で自動に接続切り離しをする、汚水管及び給水管の電磁石装置は自動接続を電力のオンとオフに切り替えて、フランジの自動接続切り離しが出来るようになる。    
【００１３】
本発明記載の請求項４に係る移動式自動水洗トイレは、請求項１乃至３のいずれかにおいて、台車が架台と接続する際に、車輪を正確な位置で電磁石フランジと接続するために、床に車輪のガードレールストッパーを設け定位置で接続できる仕組みである。又台車に載せた充電器はモーターを稼動させ、前輪を制御操作して目的に移動出来るようになる。
【００１４】
本発明記載の請求項５に係る移動式自動水洗トイレは、請求項１乃至４のいずれかにおいて、台車に載せた便器の部分は上下に動作する構成である。高齢者には下肢筋力の衰えによって便器の上下動作は、体の不自由な人は足腰が楽に座れる。
【発明の効果】
【００１５】
老人福祉施設の急増と福祉施設の不足が大きな社会問題化している。高齢者の年々増加と共に介護人の人手不足が深刻な状況である。高齢者が安心した生活環境を過ごす為に、福祉機器用具を使用して人手の負担を省く時期になってきました。移動式自動水洗トイレは架台から台車が自動で接続切り離しの出来る電磁石フランジを使い、台車に載せた便器を移動して、高齢者や体の不自由な人の身近に近づく、安心した排泄・排尿を自動で提供する。このような状態は自立支援につながり、老人福祉施設や身体障害者リハビリテーション病院施設の病棟では、複数人の病棟で移動式自動水洗トイレを自動システム制御操作で人手不足も省け、経済効果も大きく期待できる。
【発明を実施するための最良の形態】
【００１６】
次に、本発明の実施例について図面を参照しながら説明する。
【実施例】
【００１７】
〔実施例１〕図１は本発明移動式自動水洗トイレの全体移動斜図である。
【００１８】
図１において、１は移動式自動水洗トイレである、後部に給水管１７と汚水管１８を架台１２に固定させて、台車２と接続する際に双方の電磁石フランジ１９を取り付け、電磁石フランジ１９は接続切り離れができる、よって接続時に車輪は７を通して８で止まる、台車の上に載せたリフター図４に便器上下動作を示している、給水タンク２９は水洗トイレの水を溜めて水圧ポンプ３０水洗を使いトイレを円滑に出来るようにしている、汚水タンク２７は水洗トイレを使用した排泄物を溜めて、後で一緒に処理される。手摺り５便座４便器蓋と６水圧ポンプ３０を載せた、移動式自動水洗トイレに必要な器具として図１に示している、台車は図１に示すようにガードレール１６に車輪が入りガードストパー８で止まる、止まると同時に汚水管１８と給水管１７双方は電磁石フランジ図９が自動接続する仕組みである。
【００１９】
図２において、床より汚水管１８給水管１７を架台１２に固定して、電磁石フランジ図９に示している、汚水管１８と給水管１７双方の配管接続切り離れを示している。排泄物点検口２８は架台１２に汚水管１８と給水管１７は図２に示しているように固定している、
【００２０】
図３において、台車２が切り離れ単独で電動モーター４０を使い動作してフランジ１９の自動接続切り離し図８図９は切り離れた際に、バルブ３３と自動開閉弁４２で密閉され漏れる事はない、給水タンク(２９)汚水タンク(２７)双方のタンクを備え，移動式自動水洗トイレ図１はフラシュバルブ（３１）を自動操作で使用して、水洗機能を円滑にする為に水圧ポンプ（３０）を備え給水タンク（２９）に一定圧を加え円滑な水洗トイレを可能にする。架台（１２）から台車（２）が切り離れた際に双方フランジ（１９）の手前に自動開閉弁（４２）で密閉され漏れる事は無い。
【００２１】
図４において、便器下部にリフター（３７）を備え油圧シリンダー（３８）でリフターを上下動作できるように図示している、上下動作と共にフレシキホース３２によって。便器先端にサポート２５を取り付けてある。
【００２２】
図５において、架台１２へ台車２が接続する様子図５を矢印で図示している、図１のガードレール１６を通りガードレールスットパー８で止まる、双方に逆支弁３９を使用し逆流しない。
【００２３】
図６において、架台１２と台車２の双方が電磁石フランジ１９を介して接続を図示で示している、双方のバルブ３３は接続同時に自動開閉弁４２で開き、汚水タンク２７の排泄物処理をはじめる、
【００２４】
図７において、架台１２から台車２が電磁石フランジ１９を使用して、切り離れる様子図７を図示している、
【００２５】
図８において、電磁石フランジ１９の拡大した図８で説明する、電磁石フランジ１９は切り離れた際にフランジに突起したピン２０に相手フランジの穴２４に入り易く、先端を丸く削られている、図８２０は相手フランジ２４の穴に入る事で、双方のフランジにズレる事は無く接続される、接続する際にフランジ接続ガイド２１に依ってフランジのズレを２重にガードしている、又図８フランジの溝４３にパッキンを埋め込み、フランジ双方のパッキン溝で排泄物の漏れはない。
【００２６】
図９において、台車２と架台１２が接続している様子を拡大して説明する、フランジに突起したピン２０に台車側フランジの穴２４に入り、台車側フランジの溝４３にパッキンを埋め込み台車図３電動モーター４０は前輪１４に駆動させて自動走行する、又前輪１４には制御操作で作動している、図示していないがバッテリーを使い動作させる。
【００２７】
図１０は施設病棟の全体図にシステム化を考えた図である。移動式自動水洗トイレを老人福祉施設や障害者リハビリ病院施設で４〜５人部屋図１０の構図である。各部屋寝台５３の側に備えた制御操作５１はコントロールボックス４７で制御される。制御配線５０は各部屋からコントロールボックス４７へ配線されている。自動制御はバルブ操作走行操作及び制御に係る事は、コントロールボックス４７から指令される、制御盤４７から台車２へセンサー制御で台車が指令を受けて動く。台車２は収納場所４８で待機している、各部屋寝台５３操作スイッチ５１から制御配線５０を通り指令して使用する。電磁力フランジ１９は接続切り離し作業を省き自動で操作が可能となる、架台１２から台車２が切り離れ単独で目的場所まで自動制御操作で動く事が出来る。台車２に載せた便器１は体の不自由な人の場所５３まで移動して、介護人の世話が無く自立した排泄・排尿が出来ることを特徴とする移動式自動水洗トイレである。
この発明の一実施形態を図１に示す。
「実施形態の効果」
【００２８】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００２９】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００３０】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００３１】
【図１】本発明移動式自動水洗トイレの全体移動斜図
【図２】架台に固定した電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３２】
１・水洗便器              
２・台車には器具が多く積まれている    
３・便器サポート        
４・便座                  
５・手摺り        
６・便座蓋      
７・車輪ガードレール    
８・車輪ガードストッパ
９・後輪        
１０・給水電磁石フランジ    
１１・自動開閉バルブ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・電磁石フランジ          
２０・電磁石フランジ接続ピン
２１・電磁石フランジ接続ガイド      
２２・汚物排泄口      
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブ        
３２・フレシキブルホース          
３３・ボールバルブ      
３４・グローブバルブ        
３５・給水管出口          
３６・汚水管入口                  
３７・リフター              
３８・リフター油圧シリンダー内臓      
３９・逆支弁                      
４０・前輪駆動車輪電動モーター  
４１・ボール底部溜め水  
４２・自動開閉弁装置                    
４３・パッキンリング  
４４・フランジパッキンの溝      
４５・パイプ接続
４６・フランジ接続接点
４７・集合コントロールボックス
４８・台車収納場所
４９・各部屋寝台台車定位置
５０・制御配線
５１・各寝台制御操作スイッチ
５２・台車格納ガードレール
５３・寝台
【手続補正３】
【補正対象書類名】図面
【補正対象項目名】図１０
【補正方法】変更
【補正の内容】
【図１０】
2009235796.tif 000013
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
床面上に汚水管と給水管の配管を架台に固定させて、配管継ぎ手は電磁石フランジを使い、架台側のフランジに電磁石装置を備えパッキンを装着してある。フランジ双方にパッキンの溝があり、汚水管と給水管のフランジは接続切り離しを電磁石フランジで行う事を特徴とする移動式自動水洗トイレ。
【請求項２】
移動式自動水洗トイレは数回使用できる、給水タンクと汚水タンクを台車に備え使用後元の位置に戻り、接続した後汚水タンク内は清掃する事を特徴する請求項１に記載の移動式自動水洗トイレ。
【請求項３】
電磁石フランジは、架台側フランジに電磁石装置を内蔵したソレノイドに、電磁石を興し双方のフランジは磁力で自動に接続切り離しをする、汚水管及び給水管の電磁石装置は自動接続を電力のオンとオフに切り替えて、フランジの自動接続切り離しする事を特徴とする請求項１又は請求項２に記載の移動式自動水洗トイレ。
【請求項４】
台車が架台に接続する際に、車輪を正確な位置で電磁石フランジと接続するために、床に車輪のガードレールストッパーを設け定位置で接続できる仕組みである。又台車に載せた充電器はモーターを稼動させて前輪を制御操作して目的に移動する事を特徴とする請求項１〜請求項３の何れかに記載の移動式自動水洗トイレ。
【請求項５】
台車に載せた便器の部分は上下に動く事を特徴とする請求項１〜請求項４の何れかに記載の移動式自動水洗トイレ。
【手続補正２】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している、移動式自動水洗トイレは移動して使用者の身近に近づき便器を使い易く、便器まで行く動作を省く、使用者が気楽に使用できる事にかんするものである。
【背景技術】
【０００３】
給水管汚水管の接続に継ぎ手を使うが、どのように接続するか方法が詳細に示されていない、よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、人の手が必要である。
【０００６】
現在はポータブル便器とオムツが主に排泄・排尿を補っている、使用者は危険な動作を省き自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭は別にして大きな助けになっている。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレへの移動は非常に困難であるため、介護の手を借りるのが現状である、体の不自由からオムツを使い寝たきりの傾向が増えるため、自立心が失われ介護人の世話を受けるようになる、少しでも介護人の手を省き自立した排泄・排尿を提供することを課題とした。
【課題を解決するための手段】
【００１０】
本発明記載の請求項１に係る移動式自動水洗トイレは、目的を達成する為に床面上に固定した架台に汚水管と給水管を架台に取り付け固定する、配管継ぎ手は電磁石フランジを使用して、フランジ内の電磁石装置は電力をオンとオフに切り替えて使用する。配管接続切り離し作業は自動で人手を省く事が出来る。配管の漏れの無いようにフランジ双方にパッキンの溝が構成してあり、架台側のフランジにはパッキンを装着してある、移動式自動水洗トイレは数回使用できる、給水タンクと汚水タンクを台車に備え使用後元の位置に戻り、タンク内の排泄物は洗い流し清掃する。架台側フランジに電磁石装置が内蔵したフランジを汚水管及び給水管に取り付け、台車側は電磁石の無いフランジを取り付け、台車が架台に接続する際に、車輪は正確な位置でフランジと接続する。電磁石フランジは接続するために床の車輪にガードレールストッパーを設け定位置で停止して接続する、又台車に載せたバッテリーを使いモーターは前輪が左右制御駆動する。台車に載せた便器は上下に動き移動して使う事が出来るようになる。
【００１１】
本発明記載の請求項２に係る移動式自動水洗トイレは、請求項１において、排泄及び排尿が数回の使用ができる、台車には汚水タンク給水タンクを備え、便器洗浄から排泄物の処理とタンク内の清掃まで自動で済ませ人手不足の解決になる。
【００１２】
本発明記載の請求項３に係る移動式自動水洗トイレは、請求項１又は、２において、電磁石フランジは、架台側フランジに電磁石装置を内蔵したソレノイドは、電磁石を興し双方のフランジは磁力で自動に接続切り離しをする、汚水管及び給水管の電磁石装置は自動接続を電力のオンとオフに切り替えて、フランジの自動接続切り離しが出来るようになる。    
【００１３】
本発明記載の請求項４に係る移動式自動水洗トイレは、請求項１乃至３のいずれかにおいて、台車が架台と接続する際に、車輪を正確な位置で電磁石フランジと接続するために、床に車輪のガードレールストッパーを設け定位置で接続できる仕組みである。又台車に載せた充電器はモーターを稼動させ、前輪を制御操作して目的に移動出来るようになる。
【００１４】
本発明記載の請求項５に係る移動式自動水洗トイレは、請求項１乃至４のいずれかにおいて、台車に載せた便器の部分は上下に動作する構成である。高齢者には下肢筋力の衰えによって便器の上下動作は、体の不自由な人の足腰に負担を省き、便座に座れるようになる。
【発明の効果】
【００１５】
以上詳しく説明した通り、請求項１記載の移動式自動水洗トイレによると、床面上に汚水管と給水管の配管を架台に固定させて、配管継ぎ手は電磁石フランジを使い、架台側のフランジに電磁石装置を備えパッキンを装着してある。フランジ双方にパッキンの溝があり、汚水管と給水管のフランジは接続切り離しを電磁石フランジが行うので、フランジ接続切り離し作業の手が省ける。
【００１６】
また、請求項２記載の移動式自動水洗トイレによると、移動式自動水洗トイレは数回使用できる、給水タンクと汚水タンクを台車に備え使用後元の位置に戻り、接続した後汚水タンク内は清掃して、衛生的に使えるようになる。
【００１７】
また、請求項３記載の移動式自動水洗トイレによると、電磁石フランジは、架台側フランジに電磁石装置を内蔵したソレノイドに、電磁石を興し双方のフランジは磁力で自動に接続切り離しをする、汚水管及び給水管の電磁石装置は自動接続を電力のオンとオフに切り替えて、フランジの自動接続切り離しができるので、ほとんど手が係らなくなる。
【００１８】
また、請求項４記載の移動式自動水洗トイレによると、台車が架台に接続する際に、車輪を正確な位置で電磁石フランジと接続するために、床に車輪のガードレールストッパーを設け定位置で接続できる仕組みである。又台車に載せた充電器はモーターを稼動させて前輪を制御操作して目的に移動する事ができるので、使用者に負担が係らなくなる。
【００１９】
また、請求項５記載の移動式自動水洗トイレによると、台車に載せた便器の部分は上下に動くので、体の足腰に負担が係らないので楽に座ることが出来る。
【発明を実施するための最良の形態】
【００２０】
次に、本発明の実施例について図面を参照しながら説明する。
【００２１】
〔実施例１〕図１は本発明移動式自動水洗トイレの全体移動斜図である。
【００２２】
図１において、１は移動式自動水洗トイレである、後部に給水管１７と汚水管１８を架台１２に固定させて、台車２と接続する際に双方の電磁石フランジ１９を取り付け、電磁石フランジ１９は接続切り離れができる、よって接続時に車輪は７を通して８で止まる、台車の上に載せたリフター図４に便器上下動作を示している、給水タンク２９は水洗トイレの水を溜めて水圧ポンプ３０水洗を使いトイレを円滑に出来るようにしている、汚水タンク２７は水洗トイレを使用した排泄物を溜めて、後で一緒に処理される。手摺り５便座４便器蓋と６水圧ポンプ３０を載せた、移動式自動水洗トイレに必要な器具として図１に示している、台車は図１に示すようにガードレール１６に車輪が入りガードストパー８で止まる、止まると同時に汚水管１８と給水管１７双方は電磁石フランジ図９が自動接続する仕組みである。
【００２３】
図２において、床より汚水管１８給水管１７を架台１２に固定して、電磁石フランジ図９に示している、汚水管１８と給水管１７双方の配管接続切り離れを示している。排泄物点検口２８は架台１２に汚水管１８と給水管１７は図２に示しているように固定している、
【００２４】
図３において、台車２が切り離れ単独で電動モーター４０を使い動作してフランジ１９の自動接続切り離し図８図９は切り離れた際に、バルブ３３と自動開閉弁４２で密閉され漏れる事はない、給水タンク(２９)汚水タンク(２７)双方のタンクを備え，移動式自動水洗トイレ図１はフラシュバルブ（３１）を自動操作で使用して、水洗機能を円滑にする為に水圧ポンプ（３０）を備え給水タンク（２９）に一定圧を加え円滑な水洗トイレを可能にする。架台（１２）から台車（２）が切り離れた際に双方フランジ（１９）の手前に自動開閉弁（４２）で密閉され漏れる事は無い。
【００２５】
図４において、便器下部にリフター（３７）を備え油圧シリンダー（３８）でリフターを上下動作できるように図示している、上下動作と共にフレシキホース３２によって。便器先端にサポート２５を取り付けてある。
【００２６】
図５において、架台１２へ台車２が接続する様子図５を矢印で図示している、図１のガードレール１６を通りガードレールスットパー８で止まる、双方に逆支弁３９を使用し逆流しない。
【００２７】
図６において、架台１２と台車２の双方が電磁石フランジ１９を介して接続を図示で示している、双方のバルブ３３は接続同時に自動開閉弁４２で開き、汚水タンク２７の排泄物処理をはじめる、
【００２８】
図７において、架台１２から台車２が電磁石フランジ１９を使用して、切り離れる様子図７を図示している、
【００２９】
図８において、電磁石フランジ１９の拡大した図８で説明する、電磁石フランジ１９は切り離れた際にフランジに突起したピン２０に相手フランジの穴２４に入り易く、先端を丸く削られている、フランジに突起したピン２０は相手フランジ２４の穴に入る事で、双方のフランジにズレる事は無く接続される、接続する際にフランジ接続ガイド２１に依ってフランジのズレを２重にガードしている、又図８フランジの溝４３にパッキンを埋め込み、フランジ双方のパッキン溝で排泄物の漏れはない。
【００３０】
図９において、台車２と架台１２が接続している様子を拡大して説明する、フランジに突起したピン２０に台車側フランジの穴２４に入り、台車側フランジの溝４３にパッキンを埋め込み台車図３電動モーター４０は前輪１４に駆動させて自動走行する、又前輪１４には制御操作で作動している、図示していないがバッテリーを使い動作させる。
【００３１】
図１０は施設病棟の全体図にシステム化を考えた図である。移動式自動水洗トイレを老人福祉施設や障害者リハビリ病院施設で４〜５人部屋図１０の構図である。各部屋寝台５３の側に備えた制御操作５１はコントロールボックス４７で制御される。制御配線５０は各部屋からコントロールボックス４７へ配線されている。自動制御はバルブ操作走行操作及び制御に係る事は、コントロールボックス４７から指令される、制御盤４７から台車２へセンサー制御で台車が指令を受けて動く。台車２は収納場所４８で待機している、各部屋寝台５３操作スイッチ５１から制御配線５０を通り指令して使用する。電磁力フランジ１９は接続切り離し作業を省き自動で操作が可能となる、架台１２から台車２が切り離れ単独で目的場所まで自動制御操作で動く事が出来る。台車２に載せた便器１は体の不自由な人の場所５３まで移動して、介護人の世話が無く自立した排泄・排尿が出来ることを特徴とする移動式自動水洗トイレである。
この発明の一実施形態を図１に示す。
「実施形態の効果」
【００３２】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００３３】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００３４】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００３５】
【図１】本発明移動式自動水洗トイレの全体移動斜図
【図２】架台に固定した電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３６】
１・水洗便器              
２・台車には器具が多く積まれている    
３・便器サポート        
４・便座                  
５・手摺り        
６・便座蓋      
７・車輪ガードレール    
８・車輪ガードストッパ
９・後輪        
１０・給水電磁石フランジ    
１１・自動開閉バルブ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・電磁石フランジ          
２０・電磁石フランジ接続ピン
２１・電磁石フランジ接続ガイド      
２２・汚物排泄口      
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブ        
３２・フレシキブルホース          
３３・ボールバルブ      
３４・グローブバルブ        
３５・給水管出口          
３６・汚水管入口                  
３７・リフター              
３８・リフター油圧シリンダー内臓      
３９・逆支弁                      
４０・前輪駆動車輪電動モーター  
４１・ボール底部溜め水  
４２・自動開閉弁装置                    
４３・パッキンリング  
４４・フランジパッキンの溝      
４５・パイプ接続
４６・フランジ接続接点
４７・集合コントロールボックス
４８・台車収納場所
４９・各部屋寝台台車定位置
５０・制御配線
５１・各寝台制御操作スイッチ
５２・台車格納ガードレール
５３・寝台
【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
床面上に汚水管と給水管の配管を架台に固定させて、配管継ぎ手は電磁石フランジを使用する。架台側のフランジに電磁石装置を備えパッキンも装着してある。台車側フランジにもパッキンの溝があり、パッキンは架台側と台車側のフランジの溝に収まり漏れる事はない。汚水管と給水管のフランジは自動接続切り離しを電磁石フランジで行う事を特徴とする移動式自動水洗トイレ。
【請求項２】
移動式自動水洗トイレは数回使用できる、給水タンクと汚水タンクを台車に備え使用後元の位置に戻り、接続した後自動で汚水タンク内は清掃する事を特徴する請求項１に記載の移動式自動水洗トイレ。
【請求項３】
電磁石フランジは、架台側フランジに電磁石装置を備え、電磁石装置は内蔵したソレノイドによって電磁石を興す、電磁石を興した架台側のフランジは磁力で自動に接続切り離しをする、汚水管及び給水管のフランジ継ぎ手は、電磁石装置の自動接続切り離しを電力のオンとオフで電磁石の磁力を切り替えて、フランジの自動接続切り離しする事を特徴とする請求項１又は請求項２に記載の移動式自動水洗トイレ。
【請求項４】
台車が架台に接続する際に、車輪を正確な位置で電磁石フランジと接続するために、床に車輪のガードレールストッパーを設け定位置で接続できる仕組みである。又台車に載せた充電器はモーターを稼動させ、前輪を制御操作して目的に移動する事を特徴とする請求項１〜請求項３の何れかに記載の移動式自動水洗トイレ。
【請求項５】
台車に載せた便器は上下に動く事を特徴とする請求項１〜請求項４の何れかに記載の移動式自動水洗トイレ。
【手続補正２】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している、移動式自動水洗トイレは移動して使用者の身近に近づき便器を使い易く、トイレまで行く動作を省く、使用者が気楽に使用できる事にかんするものである。
【背景技術】
【０００３】
給水管汚水管の接続には配管継ぎ手を使うが、どのように接続するか方法が詳細に示されていない、よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、人の手が必要である。
【０００６】
現在はポータブル便器とオムツが主に排泄・排尿を補っている、使用者は危険な動作を省き自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭は別にして大きな助けになっている。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレへの移動は非常に困難であるため、介護の手を借りるのが現状である、体の不自由からオムツに切り替え寝たきりの傾向が増えるため、自立心が失われ介護人の世話を受けるようになる、少しでも介護人の手を省き自立した排泄・排尿が必要であり、寝たきりのオムツを省く事にある。
【課題を解決するための手段】
【００１０】
本発明記載の請求項１に係る移動式自動水洗トイレは、床面上に汚水管と給水管の配管を架台に固定させて、配管継ぎ手は電磁石フランジを使用する。架台側のフランジに電磁石装置を備えパッキンも装着してある。台車側フランジにもパッキンの溝があり、パッキンは架台側と台車側のフランジの溝に収まり漏れる事はない。汚水管と給水管のフランジは、電磁石の磁力で接続切り離しが自動でできるようになる。
【００１１】
本発明記載の請求項２に係る移動式自動水洗トイレは、請求項１において、排泄及び排尿は数回の使用もできる、台車に汚水タンク給水タンクを備え、便器洗浄から排泄物の処理とタンク内の清掃まで自動で済ませ人手不足の解消になる。
【００１２】
本発明記載の請求項３に係る移動式自動水洗トイレは、請求項１又は、２において、電磁石フランジは、架台側フランジに電磁石装置を備え、電磁石装置は内蔵したソレノイドによって電磁石を興す、電磁石を興した架台側のフランジは、磁力で台車側フランジと自動に接続切り離しをする。汚水管及び給水管のフランジ継ぎ手は、電磁石装置の自動接続を電力のオンとオフで電磁石の磁力を切り替えて、フランジの自動接続切り離しが出来るようになる。    
【００１３】
本発明記載の請求項４に係る移動式自動水洗トイレは、請求項１乃至３のいずれかにおいて、台車と架台が接続する際に、車輪を正確な位置で電磁石フランジと接続するために、床に車輪のガードレールストッパーを設け定位置で接続できる仕組みである。又台車に載せた充電器はモーターを稼動させ、前輪を制御操作して目的に移動出来るようになる。
【００１４】
本発明記載の請求項５に係る移動式自動水洗トイレは、請求項１乃至４のいずれかにおいて、台車に載せた便器の部分は上下に動作する構成である。高齢者には下肢筋力の衰えによって便器の上下動作は、体の不自由な人の足腰に負担を省き、便座に楽な高さで座れるようになる。
【発明の効果】
【００１５】
以上詳しく説明した通り、請求項１記載の移動式自動水洗トイレによると、床面上に汚水管と給水管の配管を架台に固定させて、配管継ぎ手は電磁石フランジを使い、架台側のフランジに電磁石装置を備えパッキンも装着してある。台車側フランジにもパッキンの溝があり、汚水管と給水管のフランジは接続切り離しを電磁石フランジが行うので、フランジ接続切り離し作業の手が省ける。
【００１６】
また、請求項２記載の移動式自動水洗トイレによると、移動式自動水洗トイレは数回使用できる、給水タンクと汚水タンクを台車に備え使用後元の位置に戻り、接続した後汚水タンク内を清掃する。衛生的に使えるようになる。
【００１７】
また、請求項３記載の移動式自動水洗トイレによると、電磁石フランジは、架台側フランジに電磁石装置の中に内蔵したソレノイドに、電磁石を興し架台側と台車側のフランジは磁力で自動に接続切り離しをする、汚水管及び給水管の電磁石装置は、自動接続切り離しを電力のオンとオフで電磁石の磁力を切り替えて、フランジの自動接続切り離しができるので、ほとんど手が係らなくなる。
【００１８】
また、請求項４記載の移動式自動水洗トイレによると、台車が架台に接続する際に、車輪を正確な位置で電磁石フランジと接続するために、床に車輪のガードレールストッパーを設け定位置で接続できる仕組みである。又台車に載せた充電器はモーターを稼動させて前輪を制御操作して目的に移動する事ができるので、使用者に負担が係らなくなる。
【００１９】
また、請求項５記載の移動式自動水洗トイレによると、台車に載せた便器の部分は上下に動くので、体の足腰に負担が係らないので楽に座ることが出来る。
【発明を実施するための最良の形態】
【００２０】
次に、本発明の実施例について図面を参照しながら説明する。
【００２１】
〔実施例１〕図１は本発明移動式自動水洗トイレの全体移動斜図である。
【００２２】
図１において、１は移動式自動水洗トイレである、後部に給水管１７と汚水管１８を架台１２に固定させて、台車２と接続する際に双方の電磁石フランジ１９を取り付け、電磁石フランジ１９は接続切り離れができる、よって接続時に車輪は７を通して８で止まる、台車の上に載せたリフター図４に便器上下動作を示している、給水タンク２９は水洗トイレの水を溜めて水圧ポンプ３０水洗を使いトイレを円滑に出来るようにしている、汚水タンク２７は水洗トイレを使用した排泄物を溜めて、後で一緒に処理される。手摺り５便座４便器蓋と６水圧ポンプ３０を載せた、移動式自動水洗トイレに必要な器具として図１に示している、台車は図１に示すようにガードレール１６に車輪が入りガードストパー８で止まる、止まると同時に汚水管１８と給水管１７双方は電磁石フランジ図９が自動接続する仕組みである。
【００２３】
図２において、床より汚水管１８給水管１７を架台１２に固定して、電磁石フランジ図９に示している、汚水管１８と給水管１７双方の配管接続切り離れを示している。排泄物点検口２８は架台１２に汚水管１８と給水管１７は図２に示しているように固定している、
【００２４】
図３において、台車２が切り離れ単独で電動モーター４０を使い動作してフランジ１９の自動接続切り離し図８図９は切り離れた際に、バルブ３３と自動開閉弁４２で密閉され漏れる事はない、給水タンク(２９)汚水タンク(２７)双方のタンクを備え，移動式自動水洗トイレ図１はフラシュバルブ（３１）を自動操作で使用して、水洗機能を円滑にする為に水圧ポンプ（３０）を備え給水タンク（２９）に一定圧を加え円滑な水洗トイレを可能にする。架台（１２）から台車（２）が切り離れた際に双方フランジ（１９）の手前に自動開閉弁（４２）で密閉され漏れる事は無い。
【００２５】
図４において、便器下部にリフター（３７）を備え油圧シリンダー（３８）でリフターを上下動作できるように図示している、上下動作と共にフレシキホース３２によって。便器先端にサポート２５を取り付けてある。
【００２６】
図５において、架台１２へ台車２が接続する様子図５を矢印で図示している、図１のガードレール１６を通りガードレールスットパー８で止まる、双方に逆支弁３９を使用し逆流しない。
【００２７】
図６において、架台１２と台車２の双方が電磁石フランジ１９を介して接続を図示で示している、双方のバルブ３３は接続同時に自動開閉弁４２で開き、汚水タンク２７の排泄物処理をはじめる、
【００２８】
図７において、架台１２から台車２が電磁石フランジ１９を使用して、切り離れる様子図７を図示している、
【００２９】
図８において、電磁石フランジ１９の拡大した図８で説明する、電磁石フランジ１９は切り離れた際にフランジに突起したピン２０に相手フランジの穴２４に入り易く、先端を丸く削られている、フランジに突起したピン２０は相手フランジ２４の穴に入る事で、双方のフランジにズレる事は無く接続される、接続する際にフランジ接続ガイド２１に依ってフランジのズレを２重にガードしている、又図８フランジの溝４３にパッキンを埋め込み、フランジ双方のパッキン溝で排泄物の漏れはない。
【００３０】
図９において、台車２と架台１２が接続している様子を拡大して説明する、フランジに突起したピン２０に台車側フランジの穴２４に入り、台車側フランジの溝４３にパッキンを埋め込み台車図３電動モーター４０は前輪１４に駆動させて自動走行する、又前輪１４には制御操作で作動している、図示していないがバッテリーを使い動作させる。
【００３１】
図１０は施設病棟の全体図にシステム化を考えた図である。移動式自動水洗トイレを老人福祉施設や障害者リハビリ病院施設で４〜５人部屋図１０の構図である。各部屋寝台５３の側に備えた制御操作５１はコントロールボックス４７で制御される。制御配線５０は各部屋からコントロールボックス４７へ配線されている。自動制御はバルブ操作走行操作及び制御に係る事は、コントロールボックス４７から指令される、制御盤４７から台車２へセンサー制御で台車が指令を受けて動く。台車２は収納場所４８で待機している、各部屋寝台５３操作スイッチ５１から制御配線５０を通り指令して使用する。電磁力フランジ１９は接続切り離し作業を省き自動で操作が可能となる、架台１２から台車２が切り離れ単独で目的場所まで自動制御操作で動く事が出来る。台車２に載せた便器１は体の不自由な人の場所５３まで移動して、介護人の世話が無く自立した排泄・排尿が出来ることを特徴とする移動式自動水洗トイレである。
この発明の一実施形態を図１に示す。
「実施形態の効果」
【００３２】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００３３】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００３４】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００３５】
【図１】本発明移動式自動水洗トイレの全体移動斜図
【図２】架台に固定した、汚水管と給水管の電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続している側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３６】
１・水洗便器              
２・台車には器具が多く積まれている    
３・便器サポート        
４・便座                  
５・手摺り        
６・便座蓋      
７・車輪ガードレール    
８・車輪ガードストッパ
９・後輪        
１０・架台側汚水電磁石フランジ    
１１・台車側磁力の無い汚水フランジ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・架台側給水電磁石フランジ          
２０・電磁石フランジ接続ピン
２１・電磁石フランジ接続ガイド      
２２・汚物排泄出口 
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブは台車に具備している        
３２・フレシキブルホース          
３３・ボールバルブ      
３４・グローブバルブ        
３５・給水管出口          
３６・汚水管入口                  
３７・リフター              
３８・リフター内に油圧シリンダー内臓してある 
３９・逆支弁                      
４０・前輪を駆動する電動モーター  
４１・ボール底部溜め水  
４２・自動開閉弁装置                    
４３・架台側の溝に円形状のパッキンを装着してある  
４４・フランジパッキンの溝      
４５・パイプ接続
４６・架台と台車のフランジ双方の接点
４７・集合コントロールボックス
４８・台車収納場所
４９・各部屋寝台台車定位置
５０・制御配線
５１・各寝台制御操作スイッチ
５２・台車格納ガードレール
５３・寝台
５４・台車側磁力の無いフランジ
【手続補正３】
【補正対象書類名】図面
【補正対象項目名】全図
【補正方法】変更
【補正の内容】
【図１】
2009235796.tif 000014
【図２】
2009235796.tif 000015
【図３】
2009235796.tif 000016
【図４】
2009235796.tif 000017
【図５】
2009235796.tif 000018
【図６】
2009235796.tif 000019
【図７】
2009235796.tif 000020
【図８】
2009235796.tif 000021
【図９】
2009235796.tif 000022
【図１０】
2009235796.tif 000023
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
床面上に汚水管と給水管の配管を架台に固定させて、配管継ぎ手は電磁石フランジを使用する。架台側のフランジに電磁石装置を備えパッキンも装着してある。台車側フランジにもパッキンの溝があり、パッキンは架台側と台車側のフランジの溝に収まり漏れる事はない。汚水管と給水管のフランジは自動接続切り離しを電磁石フランジで行う事を特徴とする移動式自動水洗トイレ。
【請求項２】
移動式自動水洗トイレは数回の排泄と排尿が使用できる。給水タンクと汚水タンクを備え排泄と排尿の処理後収納場所に戻り、台車と架台は接続後自動で汚水タンク及び配管内の清掃もする。給水タンクに補給する事を特徴する請求項１に記載の移動式自動水洗トイレ。
【請求項３】
電磁石フランジは、架台側フランジに電磁石装置を備え、電磁石装置はフランジに具備したソレノイドによって電磁石を興す、電磁石を興した架台側のフランジは磁力で自動に台車側フランジと接続をする。汚水管及び給水管のフランジ継ぎ手は、電力のオンとオフに電磁石の磁力を切り替えて、フランジの自動接続切り離しする事を特徴とする請求項１又は請求項２に記載の移動式自動水洗トイレ。
【請求項４】
台車が架台に接続する際に、車輪を正確な位置で電磁石フランジと接続するために、床に車輪のガードレールストッパーを設け定位置で接続できる仕組みである。又台車に載せた充電器はモーターを稼動して前輪を制御操作させ目的に移動する事を特徴とする請求項１〜請求項３の何れかに記載の移動式自動水洗トイレ。
【請求項５】
台車は自動で切り離れ単独で動作できるため、制御操作によって自動システム化の操作も可能になる。また移動式自動水洗トイレに載せた便器はリフターを使い上下動作する事を特徴とする請求項１〜請求項４の何れかに記載の移動式自動水洗トイレ。
【手続補正２】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している。移動式自動水洗トイレは移動して使用者の身近に近づき便器を使い易くトイレまで行く動作を省く。使用者が気楽に使用できる事にかんするものである。
【背景技術】
【０００３】
給水管汚水管の接続に継ぎ手を使うが、どのように接続するか方法が詳細に示されていない。よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、そのような事から人の手が必要である。
【０００６】
現在はポータブル便器とオムツが主に排泄・排尿を補っているが、使用者はオムツに頼り危険な動作を省き、自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭は別にして大きな助けになっている。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレへの移動は非常に困難であるため、介護の手を借りるのが現状である、体の不自由からオムツに切り替え寝たきりの傾向が増えるため、自立心が失われ介護人の世話を受けるようになる、少しでも介護人の手を省き自立した排泄・排尿ができる事が必要であり、寝たきりのオムツを省く事にある。
【課題を解決するための手段】
【００１０】
本発明記載の請求項１に係る移動式自動水洗トイレは、  床面上に汚水管と給水管の配管を架台に固定させて、配管継ぎ手は電磁石フランジを使用する。架台側のフランジに電磁石装置を備えパッキンも装着してある。台車側フランジにもパッキンの溝があり、パッキンは架台側と台車側のフランジの溝に収まり漏れる事はない。汚水管と給水管のフランジは、電磁石の磁力で接続切り離しを自動でできるようになる。
【００１１】
本発明記載の請求項２に係る移動式自動水洗トイレは、請求項１において、移動式自動水洗トイレは数回の排泄と排尿が使用できる。給水タンクと汚水タンクを備え排泄と排尿の処理後収納場所に戻り、台車と架台は接続後自動で汚水タンク及び配管内の清掃もする。給水タンクの補給も自動で済ませ人手不足の助けにもなる。
【００１２】
本発明記載の請求項３に係る移動式自動水洗トイレは、請求項１又は、２において、電磁石フランジは、架台側フランジに電磁石装置を備え、電磁石装置はフランジに具備したソレノイドによって電磁石を興す、電磁石を興した架台側のフランジは磁力で自動に台車側フランジと接続をする。汚水管及び給水管のフランジ継ぎ手は、電力のオンとオフに電磁石の磁力を切り替えて、フランジの自動接続切り離しが出来るようになる。    
【００１３】
本発明記載の請求項４に係る移動式自動水洗トイレは、請求項１乃至３のいずれかにおいて、台車と架台が接続する際に、車輪を正確な位置で電磁石フランジと接続するために、床に車輪のガードレールストッパーを設け定位置で接続できる仕組みである。又台車に載せた充電器はモーターを稼動させ、前輪を制御操作して目的に移動出来るようになる。
【００１４】
本発明記載の請求項５に係る移動式自動水洗トイレは、請求項１乃至４のいずれかにおいて、台車は自動で切り離れ単独で動作できるため、制御操作によって自動システム化の操作も可能になる。また移動式自動水洗トイレに載せた便器はリフターが上下動作する。高齢者には下肢筋力の衰えによって便器の上下動作は、体の不自由な人の足腰に負担を省き、便座に楽な高さで座れるようになる。
【発明の効果】
【００１５】
以上詳しく説明した通り、請求項１記載の移動式自動水洗トイレによると、床面上に汚水管と給水管の配管を架台に固定させて、配管継ぎ手は電磁石フランジを使用する。架台側のフランジに電磁石装置を備えパッキンも装着してある。台車側フランジにもパッキンの溝があり、パッキンは架台側と台車側のフランジの溝に収まり漏れる事はない。汚水管と給水管のフランジは自動接続切り離しを電磁石フランジが行うので、フランジ接続切り離し作業の手が省ける。
【００１６】
また、請求項２記載の移動式自動水洗トイレによると、移動式自動水洗トイレは数回の排泄と排尿が使用できる。給水タンクと汚水タンクを備え排泄と排尿の処理後収納場所に戻り給水タンクに補給する、台車と架台は接続後自動で汚水タンク及び配管内の清掃もする。悪臭も無く衛生的に使えるようになる。
【００１７】
また、請求項３記載の移動式自動水洗トイレによると、電磁石フランジは、架台側フランジに電磁石装置の中に内蔵したソレノイドに、電磁石を興し双方のフランジは磁力で自動に接続切り離しをする、汚水管及び給水管の電磁石装置は、自動接続切り離しを電力のオンとオフで電磁石の磁力を切り替えて、フランジの自動接続切り離しができるので、ほとんど手が係らなくなる。
【００１８】
また、請求項４記載の移動式自動水洗トイレによると、台車が架台に接続する際に、車輪を正確な位置で電磁石フランジと接続するために、床に車輪のガードレールストッパーを設け定位置で接続できる仕組みである。又台車に載せた充電器はモーターを稼動させて前輪を制御操作して目的に移動する事ができるので、使用者に負担が係らなくなる。
【００１９】
また、請求項５記載の移動式自動水洗トイレによると、台車は自動で切り離れ単独で動作できるので、制御操作によって自動システム化の操作も可能になる。また移動式自動水洗トイレに載せた便器はリフターを使い上下動作する。体の足腰に負担が係らないので楽に座ることが出来る。
【発明を実施するための最良の形態】
【００２０】
次に、本発明の実施例について図面を参照しながら説明する。
【００２１】
〔実施例１〕図１は本発明移動式自動水洗トイレの全体移動斜図である。
【００２２】
図１において、図１は移動式自動水洗トイレである、後部に給水管１７と汚水管１８を架台１２に固定させて、台車２と接続する際に架台側電磁石フランジ１０と１９を取り付け、電磁石フランジ１０と１９は接続切り離れができる、よって接続時に車輪は１５を通して８で止まる、台車の上に載せたリフター図４に便器上下動作を示している、給水タンク２９は水洗トイレの水を溜めて水圧ポンプ３０がトイレを円滑に出来るようにしている、汚水タンク２７は水洗トイレを使用した排泄物を溜めて、使用後処理される。手摺り５便座４便器蓋と６水圧ポンプ３０を載せた、移動式自動水洗トイレに必要な器具として具備している、台車は図１に示すようにガードレール１５に車輪が入りガードストパー８で止まる、止まると同時に汚水管１８と給水管１７の架台側電磁石フランジは図６で示しているように自動接続する仕組みである。
【００２３】
図２において、床より汚水管１８給水管１７を架台１２に固定して、電磁石フランジを示している、汚水管１８と給水管１７双方の配管接続切り離れを示している。排泄物点検口２８は架台１２に汚水管１８と給水管１７を図２に示しているように固定している、
【００２４】
図３において、台車２が切り離れ単独で電動モーター４０を使い動作する。架台側と台車側双方のフランジ１０と１９の自動接続切り離れた際に、バルブ３３と自動開閉弁４２で密閉され漏れる事はない。給水タンク２９汚水タンク２７双方のタンクを備え，移動式自動水洗トイレ図１はフラシュバルブ３１を自動操作で使用して、水洗機能を円滑にする為に水圧ポンプ３０を備え給水タンク２９に一定圧を加え円滑な水洗トイレを可能にする。架台１２から台車２が切り離れた際に双方のフランジ１９と１０の手前に自動開閉弁４２で密閉され漏れる事は無いようになっている。
【００２５】
図４において、便器下部にリフター３７を備え油圧シリンダー３８でリフターを上下動作できるように図示している、汚水タンク給水タンクは便器１が上下動作するためフレシキホース３２が上下に動く。便器先端にサポート２５を取り付け安定させてある。
【００２６】
図５において、架台１２へ台車２が接続する手前の様子を矢印で図示している、車輪はガードレール１５を通りガードレールスットパー８で止まる。又電動モーター４０は前輪１４に駆動させて自動走行する。前輪１４には制御操作で動作している、図示していないがバッテリー５５を使い動作させる。
【００２７】
図６において、架台１２と台車２の接続を図示している、双方のバルブ３３は接続と同時に自動開閉弁装置４２で開き、汚水タンク２７及び汚水管１８は排泄物の清掃を始める仕組みになっている。
【００２８】
図７において、架台１２から台車２が給水電磁石フランジ１９と汚水電磁石フランジ１０を使用して、切り離れる様子を図示している、双方のフランジが切り離れる際に給水バルブ３４と汚水バルブ３３は、双方のフランジ手前にバルブが設けてあり自動開閉弁装置４２によって密閉されるようになっている。
【００２９】
図８において、汚水電磁石フランジ１０が切り離れている様子を拡大して説明する、汚水電磁石フランジ１０は切り離れる際に、汚水管１８の清掃は自動で済ませてある。悪臭も無く移動式自動水洗トイレは動作する事が出来る。
【００３０】
図９において、汚水電磁石フランジ１０は台車２と架台１２の接続している様子を拡大して説明する、フランジに突起したピン２０に相手フランジのピン穴２４に入り易く、先端を丸く削られている、フランジに突起したピン２０は相手フランジピン穴２４の穴に入る事で、双方のフランジにズレは無く接続される、接続する際にフランジ接続ガイド２１に依ってフランジのズレを２重にガードしている、架台側フランジ１９と１０の溝にパッキン４３を装着してあり、フランジ双方のパッキンの溝で排泄物の漏れを防いでいる。
【００３１】
図１０は施設病棟の全体図にシステム化を考えた図である。移動式自動水洗トイレを老人福祉施設や障害者リハビリ病院施設で４〜５人部屋の構図である。各部屋寝台５３の側に備えた制御操作５１はコントロールボックス４７で制御される。制御配線５０は各部屋からコントロールボックス４７へ配線されている。自動制御はバルブ操作走行操作及び制御に係る事は、コントロールボックス４７から指令される、制御盤４７から台車２へセンサー制御で台車が指令を受けて動く。台車２は収納場所４８で待機している、各部屋寝台５３操作スイッチ５１から制御配線５０を通り指令して使用する。電磁力フランジ１０と１９は接続切り離し作業を省き自動で操作が可能となる、架台１２から台車２が切り離れ単独で目的場所まで自動制御操作で動く事が出来る。台車２に載せた便器１は体の不自由な人の寝台５３の側まで移動して、介護人の世話が無く自立した排泄・排尿が出来ることを特徴とする移動式自動水洗トイレである。
この発明の一実施形態を図１に示す。
「実施形態の効果」
【００３２】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００３３】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００３４】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００３５】
【図１】本発明移動式自動水洗トイレの全体移動斜図
【図２】架台に固定した、汚水管と給水管の電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続している側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３６】
１・水洗便器              
２・台車には器具が多く積まれている    
３・便器サポート        
４・便座                  
５・手摺り        
６・便座蓋      
７・車輪ガードレール    
８・車輪ガードストッパ
９・後輪        
１０・架台側汚水電磁石フランジ    
１１・台車側磁力の無い汚水フランジ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・架台側給水電磁石フランジ          
２０・電磁石フランジ接続ピン
２１・電磁石フランジ接続ガイド      
２２・汚物排泄出口 
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブは台車に具備している        
３２・フレシキブルホース          
３３・ボールバルブ      
３４・グローブバルブ        
３５・給水管出口          
３６・汚水管入口                  
３７・リフター              
３８・リフター内に油圧シリンダー内臓してある 
３９・逆支弁                      
４０・前輪を駆動する電動モーター  
４１・ボール底部溜め水  
４２・自動開閉弁装置                    
４３・架台側の溝に円形状のパッキンを装着してある  
４４・フランジパッキンの溝      
４５・パイプ接続
４６・架台と台車のフランジ双方の接点
４７・集合コントロールボックス
４８・台車収納場所
４９・各部屋寝台台車定位置
５０・制御配線
５１・各寝台制御操作スイッチ
５２・台車格納ガードレール
５３・寝台
５４・台車側磁力の無いフランジ
５５・バッテリー
【手続補正３】
【補正対象書類名】図面
【補正対象項目名】図１
【補正方法】変更
【補正の内容】
【図１】
2009235796.tif 000024
【手続補正４】
【補正対象書類名】図面
【補正対象項目名】図２
【補正方法】変更
【補正の内容】
【図２】
2009235796.tif 000025
【手続補正５】
【補正対象書類名】図面
【補正対象項目名】図３
【補正方法】変更
【補正の内容】
【図３】
2009235796.tif 000026
【手続補正６】
【補正対象書類名】図面
【補正対象項目名】図４
【補正方法】変更
【補正の内容】
【図４】
2009235796.tif 000027
【手続補正７】
【補正対象書類名】図面
【補正対象項目名】図５
【補正方法】変更
【補正の内容】
【図５】
2009235796.tif 000028
【手続補正８】
【補正対象書類名】図面
【補正対象項目名】図６
【補正方法】変更
【補正の内容】
【図６】
2009235796.tif 000029
【手続補正９】
【補正対象書類名】図面
【補正対象項目名】図７
【補正方法】変更
【補正の内容】
【図７】
2009235796.tif 000030
【手続補正１０】
【補正対象書類名】図面
【補正対象項目名】図８
【補正方法】変更
【補正の内容】
【図８】
2009235796.tif 000031
【手続補正１１】
【補正対象書類名】図面
【補正対象項目名】図９
【補正方法】変更
【補正の内容】
【図９】
2009235796.tif 000032
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
床面上に汚水管と給水管の配管を架台に固定させて、配管継ぎ手は電磁石フランジを使用して、架台側のフランジには電磁石フランジを備えパッキンも装着してある。フランジには架台側と台車側にパッキンの溝があり。パッキンはフランジの溝に収まり漏れる事はない。汚水管と給水管のフランジは自動接続切り離しを電磁石フランジで行う事を特徴とする移動式自動水洗トイレ。
【請求項２】
移動式自動水洗トイレは数回使用できる。給水タンクと汚水タンクを台車に備え使用後収納場所に戻る。台車と架台は接続後自動で汚水タンク及び汚水管の清掃と給水タンクに補給する事を特徴する請求項１に記載の移動式自動水洗トイレ。
【請求項３】
電磁石フランジは、架台側フランジに電磁石フランジを備え、電磁石フランジに具備したソレノイドによって電磁石を興す、電磁石フランジは電源をオンとオフで電磁石の磁力を切り替えて、フランジの自動接続切り離しと同時に双方のフランジ手前のバルブは閉じられる事を特徴とする請求項１又は請求項２に記載の移動式自動水洗トイレ。
【請求項４】
台車が架台に接続する際に、車輪を正確な位置で電磁石フランジと接続するために、床に車輪のガードレールストッパーを設け定位置で接続できる仕組みである。又台車に載せたバッテリーはモーターを稼動して、前輪を制御操作して目的に移動する事を特徴とする請求項１〜請求項３の何れかに記載の移動式自動水洗トイレ。
【請求項５】
台車は自動で切り離れ単独で動作できるため、制御装置によって自動システムの操作も可能である。また移動式自動水洗トイレに載せた便器はリフターを使い上下動作する事を特徴とする請求項１〜請求項４の何れかに記載の移動式自動水洗トイレ。
【手続補正２】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している。移動式自動水洗トイレは移動して使用者の身近に近づき便器を使い易くトイレまで行く動作を省く。使用者が気楽に使用できる事にかんするものである。
【背景技術】
【０００３】
給水管汚水管の接続に継ぎ手を使うが、どのように接続するか方法が詳細に示されていない。よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、そのような事から人の手が必要である。
【０００６】
現在はポータブル便器とオムツが主に排泄・排尿を補っているが、使用者はオムツに頼り危険な動作を省き、自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭は別にして大きな助けになっている。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレへの移動は非常に困難であるため、介護の手を借りるのが現状である、体の不自由からオムツに切り替え寝たきりの傾向が増えるため、自立心が失われ介護人の世話を受けるようになる、少しでも介護人の手を省き自立した排泄・排尿ができる事が必要であり、寝たきりのオムツを省く事にある。
【課題を解決するための手段】
【００１０】
本発明記載の請求項１に係る移動式自動水洗トイレは、床面上に汚水管と給水管の配管を架台に固定させて、配管継ぎ手は電磁石フランジを使用して、架台側のフランジには電磁石フランジを備えパッキンも装着してある。フランジには架台側と台車側にパッキンの溝があり。パッキンはフランジの溝に収まり漏れる事はない。汚水管と給水管のフランジは自動接続切り離しを電磁石フランジは自動接続切り離しを自動でできるようになる。
【００１１】
本発明記載の請求項２に係る移動式自動水洗トイレは、請求項１において、移動式自動水洗トイレは数回使用できる。給水タンクと汚水タンクを台車に備え使用後収納場所に戻る。台車と架台は接続後自動で汚水タンク及び汚水管の清掃と給水タンクの補給も自動で済ませ人手不足の助けにもなる。
【００１２】
本発明記載の請求項３に係る移動式自動水洗トイレは、請求項１又は、２において、電磁石フランジは、架台側フランジに電磁石フランジを備え、電磁石フランジに具備したソレノイドによって電磁石を興す、電磁石フランジは電源をオンとオフで電磁石の磁力を切り替えて、フランジの自動接続切り離しと同時に双方のフランジ手前の自動開閉弁装置でバルブが閉じられるようになっている。すべて自動で制御盤からの指令で動く仕組みになる。    
【００１３】
本発明記載の請求項４に係る移動式自動水洗トイレは、請求項１乃至３のいずれかにおいて、台車が架台に接続する際に、車輪を正確な位置で電磁石フランジと接続するために、床に車輪のガードレールストッパーを設け定位置で接続できる仕組みである。又台車に載せたバッテリーはモーターを稼動して、前輪を制御操作させて目的に移動するようになる。
【００１４】
本発明記載の請求項５に係る移動式自動水洗トイレは、請求項１乃至４のいずれかにおいて、台車は自動で切り離れ単独で動作できるため、制御装置によって自動システムの操作も可能である。また移動式自動水洗トイレに載せた便器はリフターを使い上下動作する。高齢者には下肢筋力の衰えによって便器の上下動作は、体の不自由な人の足腰に負担を省き、便座に楽な高さで座れるようになる。
【発明の効果】
【００１５】
以上詳しく説明した通り、請求項１記載の移動式自動水洗トイレによると、床面上に汚水管と給水管の配管を架台に固定させて、配管継ぎ手は電磁石フランジを使用して、架台側のフランジには電磁石フランジを備えパッキンも装着してある。フランジには架台側と台車側にパッキンの溝があり。パッキンはフランジの溝に収まり漏れる事はない。汚水管と給水管のフランジは自動接続切り離しを電磁石フランジが行うので、フランジ接続切り離し作業の手が省ける。
【００１６】
また、請求項２記載の移動式自動水洗トイレによると、移動式自動水洗トイレは数回使用できる。給水タンクと汚水タンクを備え排泄と排尿の処理後収納場所に戻り給水タンクに補給する、台車と架台は接続後自動で汚水タンク及び配管内の清掃もする。悪臭も無く衛生的に使えるようになる。
【００１７】
また、請求項３記載の移動式自動水洗トイレによると、電磁石フランジは、架台側フランジに電磁石装置の中に内蔵したソレノイドに、電磁石を興し双方のフランジは磁力で自動に接続切り離しをする、汚水管及び給水管の電磁石装置は、自動接続切り離しを電力のオンとオフで電磁石の磁力を切り替えて、フランジの自動接続切り離しができるので、ほとんど手が係らなくなる。
【００１８】
また、請求項４記載の移動式自動水洗トイレによると、台車が架台に接続する際に、車輪を正確な位置で電磁石フランジと接続するために、床に車輪のガードレールストッパーを設け定位置で接続できる仕組みである。又台車に載せた充電器はモーターを稼動させて前輪を制御操作して目的に移動する事ができるので、使用者に負担が係らなくなる。
【００１９】
また、請求項５記載の移動式自動水洗トイレによると、台車は自動で切り離れ単独で動作できるので、制御操作によって自動システムの操作も可能である。また移動式自動水洗トイレに載せた便器はリフターを使い上下動作する。体の足腰に負担が係らないので楽に座ることが出来る。
【発明を実施するための最良の形態】
【００２０】
次に、本発明の実施例について図面を参照しながら説明する。
【００２１】
〔実施例１〕図１は本発明移動式自動水洗トイレの全体移動斜図である。
【００２２】
図１において、１は移動式自動水洗トイレである、後部に給水管１７と汚水管１８を架台１２に固定させて、台車２と接続する際に双方の電磁石フランジ１０と１９を取り付け、電磁石フランジ１０と１９は接続切り離れができる、よって接続時に車輪は１５を通して８で止まる、台車の上に載せたリフター３７に油圧シリンダー３８は便器１の上下動作を示している、給水タンク２９に水洗便器１の水を溜めて水洗便器１を円滑に出来るようにしている、汚水タンク２７は水洗便器１を使用した後の排泄物を溜めて、接続後処理される。手摺り５便座４便器蓋６と水圧ポンプ３０その他を載せた、移動式自動水洗トイレに必要な器具として図１に示している、台車図１に示すようにガードレール７の入り口１６はYの字に入り易く車輪が入りガードストパー８で止まる、止まると同時に汚水管１８と給水管１７双方は電磁石フランジ図９が自動接続する仕組みである。
【００２３】
図２において、床より汚水管１８給水管１７を架台１２に固定して、電磁石フランジ１０と１９に図示しているように、汚水管１８と給水管１７双方のフランジが接続切り離しをしている様子である。排泄物点検口２８は架台１２に汚水管１８と給水管１７は図２に示しているように固定している、
【００２４】
図３において、台車２が切り離れ単独で電動モーター４０を使い動作する。架台側と台車側双方のフランジ１０と１９の自動接続切り離れた際に、バルブ３３と自動開閉弁４２で密閉され漏れないようになっている。給水タンク２９汚水タンク２７双方のタンクを備え，移動式自動水洗トイレ図１はフラシュバルブ３１を使用後自動操作する、水洗機能を円滑にする為に水圧ポンプ３０を備え汚水タンクと汚水管の清掃を洗い流し円滑にする。架台１２から台車２が切り離れた際に双方フランジ１０と１９の手前に自動開閉弁装置４２で密閉され漏れる事は無い。
【００２５】
図４において、便器１下部にリフター３７を備え油圧シリンダー３８でリフターを上下動作できるように図示している、汚水タンク給水タンクは便器１が上下動作するためフレシキホース３２を使用している。便器先端にサポート２５を取り付け安定させてある。
【００２６】
図５において、架台１２へ台車２が接続する手前の様子を矢印で図示している、車輪はガードレール１５を通りガードレールスットパー８で止まる。又電動モーター４０はバッテリー５５を使い前輪１４には制御操作で駆動させて自動走行する。
【００２７】
図６において、架台１２と台車２の接続を図示している、双方のバルブ３３は接続と同時に自動開閉弁装置４２が開き、給水タンクに給水され、汚水タンク２７及び汚水管１８は排泄物の清掃を始める仕組みになっている。
【００２８】
図７において、架台１２から台車２が電磁石フランジ１０と１９を使用して、切り離れる様子を図示している、双方のフランジが切り離れる際に給水バルブ３４と汚水バルブ３３は、双方のフランジ手前にバルブが設けてあり自動開閉弁装置４２によって密閉されるようになっている。
【００２９】
図８において、汚水電磁石フランジ１０が切り離れる様子を拡大して説明する、汚水電磁石フランジ１０は切り離れる際に、汚水管１８の清掃は自動で済ませてある。悪臭も無く移動式自動水洗トイレは移動する事が出来る。
【００３０】
図９において、汚水電磁石フランジ１０は台車２と架台１２の接続している様子を拡大して説明する、フランジに突起したピン２０に相手フランジのピン穴２４に入り易く、先端を丸く削られている、フランジに突起したピン２０は相手フランジピン穴２４の穴に入る事で、双方のフランジにズレは無く接続される、接続する際にフランジ接続ガード２１に依ってフランジのズレを２重にガードしている、架台側フランジ１０と１９の溝にパッキン４３を装着してあり、フランジ双方のパッキンの溝で排泄物の漏れを防いでいる。
【００３１】
図１０は施設病棟の全体平面図にシステム化を考えた図である。移動式自動水洗トイレを老人福祉施設や障害者リハビリ病院施設で４〜５人部屋の構図である。各部屋寝台５３の側に備えた制御操作５１は集合制御装置４７で制御される。制御配線５０は各部屋からコントロールボックス４７へ配線されている。自動制御はバルブ操作走行操作及び制御に係る事は集合制御装置から指令をうける。台車２は収納場所４８からセンサー制御で台車が指令を受けて動く。各部屋寝台５３操作スイッチ５１から制御配線５０を通り制御装置４７から指令を受けて使用する。電磁石フランジ１０と１９は接続切り離し作業を省き自動で操作は可能である、架台１２から台車２は切り離れ使用者の側まで集合制御装置４７から制御操作で動く仕組みである。台車２に載せた便器１は体の不自由な人の寝台５３の側まで移動して、介護人の世話が無く自立した排泄・排尿が出来る事を特徴とする移動式自動水洗トイレである。
この発明の一実施形態を図１に示す。
「実施形態の効果」
【００３２】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００３３】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００３４】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００３５】
【図１】本発明移動式自動水洗トイレの全体移動斜図
【図２】架台に固定した、汚水管と給水管の電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続している側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３６】
１・水洗便器              
２・台車には器具が多く積まれている    
３・便器サポート        
４・便座                  
５・手摺り        
６・便座蓋      
７・車輪ガードレール    
８・車輪ガードストッパ
９・後輪        
１０・架台側汚水電磁石フランジ    
１１・台車側磁力の無い汚水フランジ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・架台側給水電磁石フランジ          
２０・電磁石フランジ接続ピン
２１・電磁石フランジ接続ガイド      
２２・汚物排泄出口 
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブは台車に具備している        
３２・フレシキブルホース          
３３・ボールバルブ      
３４・グローブバルブ        
３５・給水管出口          
３６・汚水管入口                  
３７・リフター              
３８・リフター内に油圧シリンダー内臓してある 
３９・逆支弁                      
４０・前輪を駆動する電動モーター  
４１・ボール底部溜め水  
４２・自動開閉弁装置                    
４３・架台側の溝に円形状のパッキンを装着してある  
４４・フランジパッキンの溝      
４５・パイプ接続
４６・架台と台車のフランジ双方の接点
４７・集合制御装置
４８・台車収納場所
４９・各部屋寝台台車定位置
５０・制御配線
５１・各寝台制御操作スイッチ
５２・台車格納ガードレール
５３・寝台
５４・台車側磁力の無いフランジ
５５・バッテリー
【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
床面上に架台を固定し汚水管と給水管を架台に取り付け固定する、架台と台車の配管継ぎ手は電磁石フランジを使用する、架台側のフランジは電磁石を備えパッキンも装着してある。接続するフランジは架台側と台車側にパッキンの溝を設けてある。パッキンは双方のフランジの溝に収まる仕組みになる。汚水管と給水管の継ぎ手は自動接続切り離しを電磁石フランジで行う事を特徴とする移動式自動水洗トイレ。
【請求項２】
移動式自動水洗トイレは排泄・排尿を数回使用できる。給水タンクと汚水タンクは台車に備え使用後収納場所に戻る仕組みである。架台と台車は接続後自動で汚水タンク及び汚水配管の清掃と給水タンクに補給する事を特徴する請求項１に記載の移動式自動水洗トイレ。
【請求項３】
電磁石フランジは、架台側フランジに電磁石フランジを備え、電磁石フランジに具備したソレノイドによって電磁石を興す、電磁石フランジは電源をオンとオフで電磁石の磁力を切り替え、フランジの自動接続切り離しと同時に双方のフランジ手前の自動開閉バルブで閉じられる事を特徴とする請求項１又は請求項２に記載の移動式自動水洗トイレ。
【請求項４】
台車が架台に接続する際に、車輪を正確な位置で電磁石フランジと接続するために、床に車輪のガードレールストッパーを設け定位置で接続できる仕組みである。又台車に載せたバッテリーはモーターを稼動して、前輪を制御操作して目的に移動する事を特徴とする請求項１〜請求項３の何れかに記載の移動式自動水洗トイレ。
【請求項５】
台車は架台から自動で切り離れ単独で動作できる、制御操作により自動システムの操作が可能である。また台車に載せた便器はリフターを使い上下動作する事を特徴とする請求項１〜請求項４の何れかに記載の移動式自動水洗トイレ。
【手続補正２】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している。移動式自動水洗トイレは移動して使用者の身近に近づき便器を使い易くトイレまで行く動作を省く。使用者が気楽に使用できる事に関するものである。
【背景技術】
【０００３】
給水管汚水管の接続に継ぎ手を使うが、どのように接続するか方法が詳細に示されていない。よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、そのような事から人の手が必要である。
【０００６】
現在はポータブル便器とオムツが主に排泄・排尿を補っているが、使用者はオムツに頼りトイレまで行く危険な動作を省き、自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭より大きな助けになっている。悪臭を無くす為にいろいろな方策も考えているようである。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２号公報
【特許文献２】特開平５−７９０８３号公報
【特許文献３】特開平６−２９９５８８号公報
【発明の開示】
【発明が解決しようとする課題】
【０００９】
固定した便器は体力の無い体の不自由な人に、トイレに行く移動は非常に困難であるため、介助の手を借りるのが現状である、体の不自由からオムツに切り替え寝たきりの傾向が増えると聞きます、自立心が失われると介護人の世話を受けるようになる為、少しでも介護人の手を省き自立した排泄・排尿ができる事が必要であり、寝たきりのオムツを省く事にある。
【課題を解決するための手段】
【００１０】
本発明記載の請求項１に係る移動式自動水洗トイレは、床面上に架台を固定し汚水管と給水管を架台に取り付け固定する、架台側フランジには電磁石フランジを備えパッキンも装着してある。接続するフランジは架台側と台車側にパッキンの溝を設けてある。パッキンは双方のフランジの溝に収まる仕組みである。汚水管と給水管の継ぎ手は自動接続切り離しを電磁石フランジが自動でできるようになる。
【００１１】
本発明記載の請求項２に係る移動式自動水洗トイレは、請求項１において、移動式自動水洗トイレは排泄・排尿を数回使用できる。給水タンクと汚水タンクは台車に備え使用後収納場所に戻る。架台と台車は接続後自動で汚水タンク及び汚水配管の清掃と給水タンクに補給も自動で済ませ人手不足の助けにもなる。
【００１２】
本発明記載の請求項３に係る移動式自動水洗トイレは、請求項１又は、２において、電磁石フランジは、架台側フランジに電磁石フランジを備え、電磁石フランジに具備したソレノイドによって電磁石を興す、電磁石フランジは電源をオンとオフで電磁石の磁力を切り替え、フランジの自動接続切り離しと同時に双方のフランジ手前の自動開閉バルブで閉じられるようになっている。自動制御で自動開閉弁が動く。    
【００１３】
本発明記載の請求項４に係る移動式自動水洗トイレは、請求項１乃至３のいずれかにおいて、台車が架台に接続する際に、車輪を正確な位置で電磁石フランジと接続するために、床に車輪のガードレールストッパーを設け定位置で接続できる仕組みである。又台車に具備したバッテリーはモーターを稼動させ、前輪は制御操作で目的に移動するようになる。
【００１４】
本発明記載の請求項５に係る移動式自動水洗トイレは、請求項１乃至４のいずれかにおいて、台車は架台から切り離れ単独で動作する、制御操作により自動システムの操作が可能である。また台車に載せた便器はリフターを使い上下動作する。高齢者には下肢筋力の衰えによって便器の上下動作は、体の不自由な人の足腰に負担を省き、便座に楽な高さで座れるようになる。
【発明の効果】
【００１５】
以上詳しく説明した通り、請求項１記載の移動式自動水洗トイレによると、床面上に架台を固定し汚水管と給水管を架台に取り付け固定する、架台と台車の配管継ぎ手は電磁石フランジを使用する、架台側のフランジは電磁石を備えパッキンも装着してある。接続するフランジは架台側と台車側にパッキンの溝を設けてある。パッキンは双方のフランジの溝に収まる仕組みである。汚水管と給水管の継ぎ手は自動接続切り離しを電磁石フランジで行うので、フランジ接続切り離し作業の手が省ける。
【００１６】
また、請求項２記載の移動式自動水洗トイレによると、移動式自動水洗トイレは排泄排尿を数回使用できる。給水タンクと汚水タンクを備え排泄と排尿の処理後収納場所に戻り給水タンクに補給する、台車と架台は接続後自動で汚水タンク及び配管内の清掃もする。悪臭も無く衛生的に使えるようになる。
【００１７】
また、請求項３記載の移動式自動水洗トイレによると、電磁石フランジは、架台側フランジに電磁石フランジを備え、電磁石フランジに具備したソレノイドによって電磁石を興す、電磁石フランジは電源をオンとオフで電磁石の磁力を切り替えて、フランジの自動接続切り離しと同時に双方のフランジ手前の自動開閉バルブで閉じられるので、ほとんど手が係らなくなる。
【００１８】
また、請求項４記載の移動式自動水洗トイレによると、台車が架台に接続する際に、車輪を正確な位置で電磁石フランジと接続するために、床に車輪のガードレールストッパーを設け定位置で接続できる仕組みである。又台車に載せたバッテリーはモーターを稼動して、前輪を制御操作して目的に移動する事ができるので、使用者に負担が係らなくなる。
【００１９】
また、請求項５記載の移動式自動水洗トイレによると、台車は架台から自動で切り離れ単独で動作できる、制御操作により自動システムの操作が可能である。また台車に載せた便器はリフターを使い上下動作する。体の足腰に負担が係らないので楽に座ることが出来る。
【発明を実施するための最良の形態】
【００２０】
次に、本発明の実施例について図面を参照しながら説明する。
【実施例】
【００２１】
〔実施例１〕図１は本発明移動式自動水洗トイレの全体移動斜図である。
【００２２】
図１において、１は移動式自動水洗トイレである、後部に給水管１７と汚水管１８を架台１２に固定させて、台車２と接続する際に双方の電磁石フランジ１０と１９を取り付け、電磁石フランジ１０と１９は接続切り離れができる、よって接続時に車輪は１５を通して８で止まる、台車の上に載せたリフター３７に油圧シリンダー３８は便器１の上下動作を示している、給水タンク２９に水洗便器１の水を溜めて水洗便器１を円滑に出来るようにしている、汚水タンク２７は水洗便器１を使用した後の排泄物を溜めて、接続後処理される。手摺り５便座４便器蓋６と水圧ポンプ３０その他を載せた、移動式自動水洗トイレに必要な器具として図１に示している、台車図１に示すようにガードレール７の入り口１６はYの字に入り易く車輪が入りガードストパー８で止まる、止まると同時に汚水管１８と給水管１７双方は電磁石フランジ図９が自動接続する仕組みである。
【００２３】
図２において、床より汚水管１８給水管１７を架台１２に固定して、電磁石フランジ１０と１９に図示しているように、汚水管１８と給水管１７双方のフランジが接続切り離しをしている様子である。排泄物点検口２８は架台１２に汚水管１８と給水管１７は図２に示しているように固定している、
【００２４】
図３において、台車２が切り離れ単独で電動モーター４０を使い動作する。架台側と台車側双方のフランジ１０と１９の自動接続切り離れた際に、バルブ３３と自動開閉弁４２で密閉され漏れないようになっている。給水タンク２９汚水タンク２７双方のタンクを備え，移動式自動水洗トイレ図１はフラシュバルブ３１を使用後自動操作する、水洗機能を円滑にする為に水圧ポンプ３０を備え汚水タンクと汚水管の清掃を洗い流し円滑にする。架台１２から台車２が切り離れた際に双方フランジ１０と１９の手前に自動開閉弁装置４２で密閉され漏れる事は無い。
【００２５】
図４において、便器１下部にリフター３７を備え油圧シリンダー３８でリフターを上下動作できるように図示している、汚水タンク給水タンクは便器１が上下動作するためフレシキホース３２を使用している。便器先端にサポート２５を取り付け安定させてある。
【００２６】
図５において、架台１２へ台車２が接続する手前の様子を矢印で図示している、車輪はガードレール１５を通りガードレールスットパー８で止まる。又電動モーター４０はバッテリー５５を使い前輪１４には制御操作で駆動させて自動走行する。
【００２７】
図６において、架台１２と台車２の接続を図示している、双方のバルブ３３は接続と同時に自動開閉弁装置４２が開き、給水タンクに給水され、汚水タンク２７及び汚水管１８は排泄物の清掃を始める仕組みになっている。
【００２８】
図７において、架台１２から台車２が電磁石フランジ１０と１９を使用して、切り離れる様子を図示している、双方のフランジが切り離れる際に給水バルブ３４と汚水バルブ３３は、双方のフランジ手前にバルブが設けてあり自動開閉弁装置４２によって密閉されるようになっている。
【００２９】
図８において、汚水電磁石フランジ１０が切り離れる様子を拡大して説明する、汚水電磁石フランジ１０は切り離れる際に、汚水管１８の清掃は自動で済ませてある。悪臭も無く移動式自動水洗トイレは移動する事が出来る。
【００３０】
図９において、汚水電磁石フランジ１０は台車２と架台１２の接続している様子を拡大して説明する、フランジに突起したピン２０に相手フランジのピン穴２４に入り易く、先端を丸く削られている、フランジに突起したピン２０は相手フランジピン穴２４の穴に入る事で、双方のフランジにズレは無く接続される、接続する際にフランジ接続ガード２１に依ってフランジのズレを２重にガードしている、架台側フランジ１０と１９の溝にパッキン４３を装着してあり、フランジ双方のパッキンの溝で排泄物の漏れを防いでいる。
【００３１】
図１０は施設病棟の全体平面図にシステム化を考えた図である。移動式自動水洗トイレを老人福祉施設や障害者リハビリ病院施設で４〜５人部屋の構図である。各部屋寝台５３の側に備えた制御操作５１は集合制御装置４７で制御される。制御配線５０は各部屋からコントロールボックス４７へ配線されている。自動制御はバルブ操作走行操作及び制御に係る事は集合制御装置から指令をうける。台車２は収納場所４８からセンサー制御で台車が指令を受けて動く。各部屋寝台５３操作スイッチ５１から制御配線５０を通り制御装置４７から指令を受けて使用する。電磁石フランジ１０と１９は接続切り離し作業を省き自動で操作は可能である、架台１２から台車２は切り離れ使用者の側まで集合制御装置４７から制御操作で動く仕組みである。台車２に載せた便器１は体の不自由な人の寝台５３の側まで移動して、介護人の世話が無く自立した排泄・排尿が出来る事を特徴とする移動式自動水洗トイレである。
この発明の一実施形態を図１に示す。
「実施形態の効果」
【００３２】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００３３】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００３４】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００３５】
【図１】本発明移動式自動水洗トイレの全体移動斜図
【図２】架台に固定した、汚水管と給水管の電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続している側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３６】
１・水洗便器              
２・台車には器具が多く積まれている    
３・便器サポート        
４・便座                  
５・手摺り        
６・便座蓋      
７・車輪ガードレール    
８・車輪ガードストッパ
９・後輪        
１０・架台側汚水電磁石フランジ    
１１・台車側磁力の無い汚水フランジ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・架台側給水電磁石フランジ          
２０・電磁石フランジ接続ピン
２１・電磁石フランジ接続ガイド      
２２・汚物排泄出口 
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブは台車に具備している        
３２・フレシキブルホース          
３３・ボールバルブ      
３４・グローブバルブ        
３５・給水管出口          
３６・汚水管入口                  
３７・リフター              
３８・リフター内に油圧シリンダー内臓してある 
３９・逆支弁                      
４０・前輪を駆動する電動モーター  
４１・ボール底部溜め水  
４２・自動開閉弁装置                    
４３・架台側の溝に円形状のパッキンを装着してある  
４４・フランジパッキンの溝      
４５・パイプ接続
４６・架台と台車のフランジ双方の接点
４７・集合制御装置
４８・台車収納場所
４９・各部屋寝台台車定位置
５０・制御配線
５１・各寝台制御操作スイッチ
５２・台車格納ガードレール
５３・寝台
５４・台車側磁力の無いフランジ
５５・バッテリー
【手続補正書】
【提出日】平成20年7月9日(2008.7.9)
【手続補正１】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している。移動式自動水洗トイレは移動して使用者の身近に近づき便器を使い易くトイレまで行く動作を省く。使用者が気楽に使用できる事に関するものである。
【背景技術】
【０００３】
給水管汚水管の接続に継ぎ手を使うが、どのように接続するか方法が詳細に示されていない。よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、そのような事から人の手が必要である。
【０００６】
現在はポータブル便器とオムツが主に排泄・排尿を補っているが、使用者はオムツに頼りトイレまで行く危険な動作を省き、自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭より大きな助けになっている。悪臭を消す為にいろいろな方策も考えているようである。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレに行く移動は非常に困難であるため、介助の手を借りるのが現状である、体の不自由からオムツに切り替え寝たきりの傾向が増えると聞きます、自立心が失われると介護人の世話を受けるようになる為、少しでも介護人の手を省き自立した排泄・排尿ができる事が必要であり、寝たきりのオムツを省く事にある。
【課題を解決するための手段】
【００１０】
本発明記載の請求項１に係る移動式自動水洗トイレは、床面上に架台を固定し汚水管と給水管を架台に取り付け固定する、架台と台車の配管継ぎ手は電磁石フランジを使用する、架台側のフランジは電磁石を備えパッキンも装着してある。接続するフランジは架台側と台車側にパッキンの溝を設けてある。パッキンは双方のフランジの溝に収まる仕組みになる。汚水管と給水管の継ぎ手は自動接続切り離しを電磁石フランジが自動でできるようになる。
【００１１】
本発明記載の請求項２に係る移動式自動水洗トイレは、請求項１において、移動式自動水洗トイレは排泄・排尿を数回使用できる。給水タンクと汚水タンクは台車に備え使用後収納場所に戻る仕組みである。架台と台車は接続後自動で汚水タンク及び汚水配管の清掃と給水タンクに補給も自動で済ませ人手不足の助けにもなる。
【００１２】
本発明記載の請求項３に係る移動式自動水洗トイレは、請求項１又は、２において、電磁石フランジは、架台側フランジに電磁石フランジを備え、電磁石フランジに具備したソレノイドは電磁石を興す、電磁石フランジは電源をオンとオフで磁力を切り替え使用する、フランジの自動接続切り離しと同時に双方のフランジ手前の自動開閉バルブで開閉されるようになっている。自動制御で自動開閉バルブが動く。    
【００１３】
本発明記載の請求項４に係る移動式自動水洗トイレは、請求項１乃至３のいずれかにおいて、台車が架台と接続する際に、車輪を正確な位置で電磁石フランジと接続する際に、床に車輪のガードレールストッパーを設け定位置で接続できる仕組みである。台車に具備したバッテリーはモーターを稼動する。稼動した前輪は制御操作して目的に移動するようになる。   
【００１４】
本発明記載の請求項５に係る移動式自動水洗トイレは、請求項１乃至４のいずれかにおいて、台車は架台から自動で切り離れ単独で動作できる、制御操作により自動システムの操作が可能である。また台車に載せた便器はリフターを使い上下動作する。高齢者には下肢筋力の衰えによって便器の上下動作は、体の不自由な人の足腰に負担を省き、便座に楽な高さで座れるようになる。
【発明の効果】
【００１５】
以上詳しく説明した通り、請求項１記載の移動式自動水洗トイレによると、床面上に架台を固定し汚水管と給水管を架台に取り付け固定する、架台と台車の配管継ぎ手は電磁石フランジを使用する、架台側のフランジは電磁石を備えパッキンも装着してある。接続するフランジは架台側と台車側にパッキンの溝を設けてある。パッキンは双方のフランジの溝に収まる仕組みになる。汚水管と給水管の継ぎ手は自動接続切り離しを電磁石フランジで行うので、フランジ接続切り離し作業の手が省ける。
【００１６】
また、請求項２記載の移動式自動水洗トイレによると、移動式自動水洗トイレは排泄・排尿を数回使用できる。給水タンクと汚水タンクは台車に備え使用後収納場所に戻る仕組みである。架台と台車は接続後自動で汚水タンク及び汚水配管の清掃と給水タンクに補給する、台車と架台は接続後自動で汚水タンク及び配管内の清掃をする。悪臭も無く衛生的に使えるようになる。
【００１７】
また、請求項３記載の移動式自動水洗トイレによると、電磁石フランジは、架台側フランジに電磁石を興すソレノイドを備え、フランジに具備したソレノイドに電力を通し電磁石を興す、電磁石フランジは電源をオンとオフにして磁力を切り替えフランジの自動接続切り離しをする。双方のフランジ手前の自動開閉装置バルブで開閉されるので手が係らない。
【００１８】
また、請求項４記載の移動式自動水洗トイレによると、台車が架台と接続する際に、車輪を正確な位置で電磁石フランジと接続する際に、床に車輪のガードレールストッパーを設け定位置で接続できる仕組みである。台車に具備したバッテリーはモーターを稼動する。稼動した前輪は制御操作して目的に移動する事ができるので、使用者に負担が係らなくなる。
【００１９】
また、請求項５記載の移動式自動水洗トイレによると、台車は架台から自動で切り離れ単独で動作できる、制御操作により自動システムの操作が可能である。また台車に載せた便器はリフターを使い上下動作する。体の足腰に負担が係らないので楽に座ることが出来る。
【発明を実施するための最良の形態】
【００２０】
次に、本発明の実施例について図面を参照しながら説明する。
【実施例】
【００２１】
〔実施例１〕図１は本発明移動式自動水洗トイレの全体移動斜図である。
【００２２】
図１において、１は移動式自動水洗トイレである、後部に給水管１７と汚水管１８を架台１２に固定させて、台車２と接続する際に双方の電磁石フランジ１０と１９を取り付け、電磁石フランジ１０と１９は接続切り離れができる、よって接続時に車輪は１５を通して８で止まる、台車の上に載せたリフター３７に油圧シリンダー３８は便器１の上下動作を示している、給水タンク２９に水洗便器１の水を溜めて水洗便器１を円滑に出来るようにしている、汚水タンク２７は水洗便器１を使用した後の排泄物を溜めて、接続後処理される。手摺り５便座４便器蓋６と水圧ポンプ３０その他を載せた、移動式自動水洗トイレに必要な器具として図１に示している、台車図１に示すようにガードレール７の入り口１６はYの字に入り易く車輪が入りガードストパー８で止まる、止まると同時に汚水管１８と給水管１７双方は電磁石フランジ図９が自動接続する仕組みである。
【００２３】
図２において、床より汚水管１８給水管１７を架台１２に固定して、電磁石フランジ１０と１９に図示しているように、汚水管１８と給水管１７双方のフランジが接続切り離しをしている様子である。排泄物点検口２８は架台１２に汚水管１８と給水管１７は図２に示しているように固定している、
【００２４】
図３において、台車２が切り離れ単独で電動モーター４０を使い動作する。架台側と台車側双方のフランジ１０と１９の自動接続切り離れた際に、バルブ３３と自動開閉弁４２で密閉され漏れないようになっている。給水タンク２９汚水タンク２７双方のタンクを備え，移動式自動水洗トイレ図１はフラシュバルブ３１を使用後自動操作する、水洗機能を円滑にする為に水圧ポンプ３０を備え汚水タンクと汚水管の清掃を洗い流し円滑にする。架台１２から台車２が切り離れた際に双方フランジ１０と１９の手前に自動開閉弁装置４２で密閉され漏れる事は無い。
【００２５】
図４において、便器１下部にリフター３７を備え油圧シリンダー３８でリフターを上下動作できるように図示している、汚水タンク給水タンクは便器１が上下動作するためフレシキホース３２を使用している。便器先端にサポート２５を取り付け安定させてある。
【００２６】
図５において、架台１２へ台車２が接続する手前の様子を矢印で図示している、車輪はガードレール１５を通りガードレールスットパー８で止まる。又電動モーター４０はバッテリー５５を使い前輪１４には制御操作で駆動させて自動走行する。
【００２７】
図６において、架台１２と台車２の接続を図示している、双方のバルブ３３は接続と同時に自動開閉弁装置４２が開き、給水タンクに給水され、汚水タンク２７及び汚水管１８は排泄物の清掃を始める仕組みになっている。
【００２８】
図７において、架台１２から台車２が電磁石フランジ１０と１９を使用して、切り離れる様子を図示している、双方のフランジが切り離れる際に給水バルブ３４と汚水バルブ３３は、双方のフランジ手前にバルブが設けてあり自動開閉弁装置４２によって密閉されるようになっている。
【００２９】
図８において、汚水電磁石フランジ１０が切り離れる様子を拡大して説明する、汚水電磁石フランジ１０は切り離れる際に、汚水管１８の清掃は自動で済ませてある。悪臭も無く移動式自動水洗トイレは移動する事が出来る。
【００３０】
図９において、汚水電磁石フランジ１０は台車２と架台１２の接続している様子を拡大して説明する、フランジに突起したピン２０に相手フランジのピン穴２４に入り易く、先端を丸く削られている、フランジに突起したピン２０は相手フランジピン穴２４の穴に入る事で、双方のフランジにズレは無く接続される、接続する際にフランジ接続ガード２１に依ってフランジのズレを２重にガードしている、架台側フランジ１０と１９の溝にパッキン４３を装着してあり、フランジ双方のパッキンの溝で排泄物の漏れを防いでいる。
【００３１】
図１０は施設病棟の全体平面図にシステム化を考えた図である。移動式自動水洗トイレを老人福祉施設や障害者リハビリ病院施設で４〜５人部屋の構図である。各部屋寝台５３の側に備えた制御操作５１は集合制御装置４７で制御される。制御配線５０は各部屋からコントロールボックス４７へ配線されている。自動制御はバルブ操作走行操作及び制御に係る事は集合制御装置から指令をうける。台車２は収納場所４８からセンサー制御で台車が指令を受けて動く。各部屋寝台５３操作スイッチ５１から制御配線５０を通り制御装置４７から指令を受けて使用する。電磁石フランジ１０と１９は接続切り離し作業を省き自動で操作は可能である、架台１２から台車２は切り離れ使用者の側まで集合制御装置４７から制御操作で動く仕組みである。台車２に載せた便器１は体の不自由な人の寝台５３の側まで移動して、介護人の世話が無く自立した排泄・排尿が出来る事を特徴とする移動式自動水洗トイレである。
この発明の一実施形態を図１に示す。
「実施形態の効果」
【００３２】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００３３】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００３４】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００３５】
【図１】本発明移動式自動水洗トイレの全体移動斜図
【図２】架台に固定した、汚水管と給水管の電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続している側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３６】
１・水洗便器              
２・台車には器具が多く積まれている    
３・便器サポート        
４・便座                  
５・手摺り        
６・便座蓋      
７・車輪ガードレール    
８・車輪ガードストッパ
９・後輪        
１０・架台側汚水電磁石フランジ    
１１・台車側磁力の無い汚水フランジ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・架台側給水電磁石フランジ          
２０・電磁石フランジ接続ピン
２１・電磁石フランジ接続ガイド      
２２・汚物排泄出口      
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブは台車に具備している        
３２・フレシキブルホース          
３３・ボールバルブ      
３４・グローブバルブ        
３５・給水管出口          
３６・汚水管入口                  
３７・リフター              
３８・リフター内に油圧シリンダーを備えてある      
３９・逆支弁                      
４０・前輪を駆動する電動モーター  
４１・ボール底部溜め水  
４２・自動開閉弁装置                    
４３・架台側の溝に円形状のパッキンを装着してある  
４４・フランジパッキンの溝      
４５・パイプ接続
４６・架台と台車のフランジ双方の接点
４７・集合制御装置
４８・台車収納場所
４９・各部屋寝台台車定位置
５０・制御配線
５１・各寝台制御操作スイッチ
５２・台車格納ガードレール
５３・寝台
５４・台車側磁力の無いフランジ
５５・バッテリー
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
床面上に架台を固定し汚水管と給水管を架台に取り付け固定する、架台と台車の配管継ぎ手は電磁石フランジを使用し、架台側のフランジに電磁石装置を備えパッキンを装着してあり、フランジ双方にパッキンの溝があり、汚水管と給水管のフランジは接続切り離しを電磁石フランジで行い、台車が架台に接続する際に、車輪の正確な位置で電磁石フランジと接続するために、床に車輪のガードレールストッパーを設け定位置で接続できる仕組みであり、又台車に載せた充電器はモーターを稼動させて前輪は制御操作して目的に移動し、台車に載せた便器の部分は上下に動く事を特徴とする移動式自動水洗トイレ。
【請求項２】
移動式自動水洗トイレは数回使用できる、給水タンクと汚水タンクを台車に備え使用後元の位置に戻り、接続した後汚水タンク内は清掃する事を特徴とする請求項１に記載の移動式自動水洗トイレ。
【請求項３】
電磁石フランジは、架台側フランジに電磁石装置を内蔵したソレノイドは、電磁石を興し双方のフランジを磁力で自動に接続切り離しをする、汚水管及び給水管の電磁石装置は自動接続を電力のオンとオフに切り替えてフランジの接続切り離しする事を特徴とする請求項１又は請求項２に記載の移動式自動水洗トイレ。
【手続補正２】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している。移動式自動水洗トイレは移動して使用者の身近に近づき便器を使い易くトイレまで行く動作を省く。使用者が気楽に使用できる事にかんするものである。
【背景技術】
【０００３】
給水管汚水管の接続に継ぎ手を使うが、どのように接続するか方法が詳細に示されていない。よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、そのような事から人の手が必要である。
【０００６】
現在はポータブル便器とオムツが主に排泄・排尿を補っているが、使用者はオムツに頼り危険な動作を省き、自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭は別にして大きな助けになっている。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレへの移動は非常に困難であるため、介護の手を借りるのが現状である、体の不自由からオムツに切り替え寝たきりの傾向が増えるため、自立心が失われ介護人の世話を受けるようになる、少しでも介護人の手を省き自立した排泄・排尿ができる事が必要であり、寝たきりのオムツを省く事にある。
【課題を解決するための手段】
【００１０】
本発明記載の請求項１に係る移動式自動水洗トイレは、床面上に架台を固定し汚水管と給水管を架台に取り付け固定する、架台と台車の配管継ぎ手は電磁石フランジを使用し、架台側のフランジに電磁石装置を備えパッキンを装着してある。フランジ双方にパッキンの溝があり、汚水管と給水管のフランジは接続切り離しを電磁石フランジで行い、台車が架台に接続する際に、車輪の正確な位置で電磁石フランジと接続するために、床に車輪のガードレールストッパーを設け定位置で接続できる仕組みである。又台車に載せた充電器はモーターを稼動させて前輪は制御操作して目的に移動し、台車に載せた便器の部分は上下に動く事で体の負担なくす。
【００１１】
本発明記載の請求項２に係る移動式自動水洗トイレは、請求項１において、移動式自動水洗トイレは数回使用できる。給水タンクと汚水タンクは台車に備え使用後収納場所に戻る仕組みである。架台と台車は接続後自動で汚水タンク及び汚水配管の清掃と給水タンクに補給も自動で済ませ人手不足の助けにもなる。
【００１２】
本発明記載の請求項３に係る移動式自動水洗トイレは、請求項１又は、２において、電磁石フランジは、架台側フランジに電磁石フランジを備え、電磁石フランジに具備したソレノイドによって電磁石を興す、電磁石フランジは電源をオンとオフで電磁石の磁力を切り替えて、フランジの自動接続切り離しと同時に双方のフランジ手前の自動開閉バルブで閉じられるようになっている。すべて自動で制御盤からの指令で動く仕組みになる。    
【００１３】
本発明記載の請求項４に係る移動式自動水洗トイレは、請求項１乃至３のいずれかにおいて、台車が架台に接続する際に、車輪を正確な位置で電磁石フランジと接続するために、床に車輪のガードレールストッパーを設け定位置で接続できる仕組みである。又台車に載せたバッテリーはモーターを稼動して、前輪を制御操作して目的に移動するようになる。
【００１４】
本発明記載の請求項５に係る移動式自動水洗トイレは、請求項１乃至４のいずれかにおいて、台車は架台から切り離れ単独で動作できる、制御操作により自動システムの操作が可能である。また移動式自動水洗トイレに載せた便器はリフターを使い上下動作する。高齢者には下肢筋力の衰えによって便器の上下動作は、体の不自由な人の足腰に負担を省き、便座に楽な高さで座れるようになる。
【発明の効果】
【００１５】
以上詳しく説明した通り、請求項１記載の移動式自動水洗トイレによると、床面上に架台を固定し汚水管と給水管を架台に取り付け固定する、架台と台車の配管継ぎ手は電磁石フランジを使用し、架台側のフランジに電磁石装置を備えパッキンを装着してあり、フランジ双方にパッキンの溝があり、汚水管と給水管のフランジは接続切り離しを電磁石フランジで行い、台車が架台に接続する際に、車輪の正確な位置で電磁石フランジと接続するために、床に車輪のガードレールストッパーを設け定位置で接続できる仕組みである。又台車に載せた充電器はモーターを稼動させて前輪は制御操作して目的に移動し、台車に載せた便器の部分が上下に動く事は高齢者の下肢筋力低下の負担と人手不足の負担を省く事が出来る。
【００１６】
また、請求項２記載の移動式自動水洗トイレによると、移動式自動水洗トイレは数回使用できる。給水タンクと汚水タンクを備え排泄と排尿の処理後収納場所に戻り給水タンクに補給する、台車と架台は接続後自動で汚水タンク及び配管内の清掃もする。悪臭も無く衛生的に使えるようになる。
【００１７】
また、請求項３記載の移動式自動水洗トイレによると、電磁石フランジは、架台側フランジに電磁石フランジを備え、電磁石フランジに具備したソレノイドによって電磁石を興す、電磁石フランジは電源をオンとオフで電磁石の磁力を切り替えて、フランジの自動接続切り離しと同時に双方のフランジ手前の自動開閉バルブで閉じられるので、ほとんど手が係らなくなる。
【発明を実施するための最良の形態】
【００１８】
次に、本発明の実施例について図面を参照しながら説明する。
【実施例】
【００１９】
〔実施例１〕図１は本発明移動式自動水洗トイレの全体移動斜図である。
【００２０】
図１において、１は移動式自動水洗トイレである、後部に給水管１７と汚水管１８を架台１２に固定させて、台車２と接続する際に双方の電磁石フランジ１０と１９を取り付け、電磁石フランジ１０と１９は接続切り離れができる、よって接続時に車輪は１５を通して８で止まる、台車の上に載せたリフター３７に油圧シリンダー３８は便器１の上下動作を示している、給水タンク２９に水洗便器１の水を溜めて水洗便器１を円滑に出来るようにしている、汚水タンク２７は水洗便器１を使用した後の排泄物を溜めて、接続後処理される。手摺り５便座４便器蓋６と水圧ポンプ３０その他を載せた、移動式自動水洗トイレに必要な器具として図１に示している、台車図１に示すようにガードレール７の入り口１６はYの字に入り易く車輪が入りガードストパー８で止まる、止まると同時に汚水管１８と給水管１７双方は電磁石フランジ図９が自動接続する仕組みである。
【００２１】
図２において、床より汚水管１８給水管１７を架台１２に固定して、電磁石フランジ１０と１９に図示しているように、汚水管１８と給水管１７双方のフランジが接続切り離しをしている様子である。排泄物点検口２８は架台１２に汚水管１８と給水管１７は図２に示しているように固定している、
【００２２】
図３において、台車２が切り離れ単独で電動モーター４０を使い動作する。架台側と台車側双方のフランジ１０と１９の自動接続切り離れた際に、バルブ３３と自動開閉弁４２で密閉され漏れないようになっている。給水タンク２９汚水タンク２７双方のタンクを備え，移動式自動水洗トイレ図１はフラシュバルブ３１を使用後自動操作する、水洗機能を円滑にする為に水圧ポンプ３０を備え汚水タンクと汚水管の清掃を洗い流し円滑にする。架台１２から台車２が切り離れた際に双方フランジ１０と１９の手前に自動開閉弁装置４２で密閉され漏れる事は無い。
【００２３】
図４において、便器１下部にリフター３７を備え油圧シリンダー３８でリフターを上下動作できるように図示している、汚水タンク給水タンクは便器１が上下動作するためフレシキホース３２を使用している。便器先端にサポート２５を取り付け安定させてある。
【００２４】
図５において、架台１２へ台車２が接続する手前の様子を矢印で図示している、車輪はガードレール１５を通りガードレールスットパー８で止まる。又電動モーター４０はバッテリー５５を使い前輪１４には制御操作で駆動させて自動走行する。
【００２５】
図６において、架台１２と台車２の接続を図示している、双方のバルブ３３は接続と同時に自動開閉弁装置４２が開き、給水タンクに給水され、汚水タンク２７及び汚水管１８は排泄物の清掃を始める仕組みになっている。
【００２６】
図７において、架台１２から台車２が電磁石フランジ１０と１９を使用して、切り離れる様子を図示している、双方のフランジが切り離れる際に給水バルブ３４と汚水バルブ３３は、双方のフランジ手前にバルブが設けてあり自動開閉弁装置４２によって密閉されるようになっている。
【００２７】
図８において、汚水電磁石フランジ１０が切り離れる様子を拡大して説明する、汚水電磁石フランジ１０は切り離れる際に、汚水管１８の清掃は自動で済ませてある。悪臭も無く移動式自動水洗トイレは移動する事が出来る。
【００２８】
図９において、汚水電磁石フランジ１０は台車２と架台１２の接続している様子を拡大して説明する、フランジに突起したピン２０に相手フランジのピン穴２４に入り易く、先端を丸く削られている、フランジに突起したピン２０は相手フランジピン穴２４の穴に入る事で、双方のフランジにズレは無く接続される、接続する際にフランジ接続ガード２１に依ってフランジのズレを２重にガードしている、架台側フランジ１０と１９の溝にパッキン４３を装着してあり、フランジ双方のパッキンの溝で排泄物の漏れを防いでいる。
【００２９】
図１０は施設病棟の全体平面図にシステム化を考えた図である。移動式自動水洗トイレを老人福祉施設や障害者リハビリ病院施設で４〜５人部屋の構図である。各部屋寝台５３の側に備えた制御操作５１は集合制御装置４７で制御される。制御配線５０は各部屋からコントロールボックス４７へ配線されている。自動制御はバルブ操作走行操作及び制御に係る事は集合制御装置から指令をうける。台車２は収納場所４８からセンサー制御で台車が指令を受けて動く。各部屋寝台５３操作スイッチ５１から制御配線５０を通り制御装置４７から指令を受けて使用する。電磁石フランジ１０と１９は接続切り離し作業を省き自動で操作は可能である、架台１２から台車２は切り離れ使用者の側まで集合制御装置４７から制御操作で動く仕組みである。台車２に載せた便器１は体の不自由な人の寝台５３の側まで移動して、介護人の世話が無く自立した排泄・排尿が出来る事を特徴とする移動式自動水洗トイレである。
この発明の一実施形態を図１に示す。
「実施形態の効果」
【００３０】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００３１】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００３２】
高齢者が年々増加している傾向の中、介護人の人手不足も問題とされている、福祉機器用具の開発は進んで要るが、ユーザーが限定され市場ニーズにならない現状で、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００３３】
【図１】本発明移動式自動水洗トイレの全体移動斜図
【図２】架台に固定した、汚水管と給水管の電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続している側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３４】
１・水洗便器              
２・台車には器具が多く積まれている    
３・便器サポート        
４・便座                  
５・手摺り        
６・便座蓋      
７・車輪ガードレール    
８・車輪ガードストッパ
９・後輪        
１０・架台側汚水電磁石フランジ    
１１・台車側磁力の無い汚水フランジ
１２・架台      
１３・便器設置ボルト    
１４・前輪左右制御車輪        
１５・車輪ガード進入口
１６・広角ガードレール（車輪が入り易く）        
１７・給水管            
１８・汚水管
１９・架台側給水電磁石フランジ          
２０・電磁石フランジ接続ピン
２１・電磁石フランジ接続ガイド      
２２・汚物排泄出口      
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブは台車に具備している        
３２・フレシキブルホース          
３３・ボールバルブ      
３４・グローブバルブ        
３５・給水管出口          
３６・汚水管入口                  
３７・リフター              
３８・リフター内に油圧シリンダー内臓してある      
３９・逆支弁                      
４０・前輪を駆動する電動モーター  
４１・ボール底部溜め水  
４２・自動開閉弁装置                    
４３・架台側の溝に円形状のパッキンを装着してある  
４４・フランジパッキンの溝      
４５・パイプ接続
４６・架台と台車のフランジ双方の接点
４７・集合制御装置
４８・台車収納場所
４９・各部屋寝台台車定位置
５０・制御配線
５１・各寝台制御操作スイッチ
５２・台車格納ガードレール
５３・寝台
５４・台車側磁力の無いフランジ
５５・バッテリー
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
床面上に固定された架台と、前輪と後輪を有し、便器及び充電池を載せた台車と、前記床面上に設けられたガイドレールストッパー及びガイドレールストッパーから構成され、前記架台に固定された汚水管と給水管を、それぞれ前記台車に設けられた汚水管と給水管接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることを特徴とする、移動式自動水洗トイレ。
【請求項２】
前記台車は、さらに給水タンクと汚水タンクを備えて、前記便器を数回の使用ができるものとし、前記接続位置において、前記架台に固定された汚水管と給水管が、それぞれ前記台車に設けられた汚水管と給水管が接続された状態で、前記汚水タンク内が清掃されることを特徴とする、請求項１に記載の移動式自動水洗トイレ。
【手続補正２】
【補正対象書類名】明細書
【補正対象項目名】全文
【補正方法】変更
【補正の内容】
【発明の詳細な説明】
【技術分野】
【０００１】
本発明は、移動式自動水洗トイレに関するものであり、特に老人福祉施設及び身体障害者リハビリテーション病院施設病棟に数人が共同入院生活で水洗便器が使い易くする事に関するものである。
【０００２】
移動式自動水洗トイレは、高齢者や身体障害者は下肢筋力低下の衰えと共に入院生活に排泄・排尿に苦労している。移動式自動水洗トイレは移動して使用者の身近に近づき便器を使い易く、トイレまで行く動作を省く。使用者が気楽に使用できる事にかんするものである。
【背景技術】
【０００３】
給水管汚水管の接続に継ぎ手を使うが、どのように接続するか方法が詳細に示されていない。よって人の手が必要である(例えば、特許文献３を参照)。
【０００４】
従来の〔特許文献３〕移動式水洗トイレは台車に便器を載せ移動式水洗トイレを考えているが、技術的に接続部分は手動で使用者の負担と手間が掛かる。
【０００５】
移動簡易水洗トイレ〔特許文献２〕は配管接続の説明が明確でない、設備は多く備えているが、水洗トイレとして使用するには排泄物の配管継ぎ手と、配管接続部分説明が明確に示されていない、そのような事から人の手が必要である。
【０００６】
現在はポータブル便器とオムツが主に排泄・排尿を補っているが、使用者はオムツに頼り危険な動作を省き、自立した排泄・排尿が出来ない状態である。
【０００７】
自立した排泄・排尿は介護の手を省き体力的の衰えも防ぐ、ポータブル便器が身近にある事は体力の無い高齢者・障害者には悪臭は別にして大きな助けになっている。
【０００８】
便器が自在に動く移動式便器は、体の不自由な人の排泄・排尿を助ける為には、現在は使用者に負担がかかる(例えば、特許文献２を参照)。
【特許文献１】特開平９―２５６４４２
【特許文献２】特開平５−７９０８３
【特許文献３】特開平６−２９９５８８
【発明の開示】
【発明が解決しようとする課題】
【０００９】
固定した便器は体力の無い体の不自由な人に、トイレへの移動は非常に困難であるため、介護の手を借りるのが現状である、体の不自由からオムツに切り替え寝たきりの傾向が増え、自立心が失われ介護人の世話を受けるようになる、少しでも介護人の手を省き自立した排泄・排尿ができる事が必要であり、寝たきりのオムツを省く事にある。
【課題を解決するための手段】
【００１０】
本発明記載の請求項１に係る移動式自動水洗トイレは、床面上に固定された架台と、前輪と後輪を有し、便器及び充電池を載せた台車と、前記床面上に設けられたガイドレールストッパー及びガイドレールストッパーから構成され、前記架台に固定された汚水管と給水管を、それぞれ前記台車に設けられた汚水管と給水管接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることを特徴とする、移動式自動水洗トイレ。
【００１１】
本発明記載の請求項２に係る移動式自動水洗トイレは、請求項１において、前記台車は、さらに給水タンクと汚水タンクを備えて、前記便器を数回の使用ができるものとし、前記接続位置において、前記架台に固定された汚水管と給水管が、それぞれ前記台車に設けられた汚水管と給水管が接続された状態で、前記汚水タンク内は清掃されることを特徴とし、前記接続は自動で済ませるため人手が係らない、移動式自動水洗トイレ。
【発明の効果】
【００１２】
以上詳しく説明した通り、請求項１記載の移動式自動水洗トイレによると、床面上に固定された架台と、前輪と後輪を有し、便器及び充電池を載せた台車と、前記床面上に設けられたガイドレールストッパー及びガイドレールストッパーから構成され、前記架台に固定された汚水管と給水管を、それぞれ前記台車に設けられた汚水管と給水管接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることを特徴とする、前記台車に載せた便器が上下に動く事は、高齢者の下肢筋力低下の衰えを和らげ、便座に座りやすく体の負担を省く事が出来る。
【００１３】
また、請求項２記載の移動式自動水洗トイレによると、前記台車は、さらに給水タンクと汚水タンクを備えて、前記便器を数回の使用ができるものとし、前記接続位置において、前記架台に固定された汚水管と給水管が、それぞれ前記台車に設けられた汚水管と給水管が接続された状態で、前記汚水タンク内が清掃されることを特徴とし、部屋に悪臭を無くし衛生的に使える。
【発明を実施するための最良の形態】
【００１４】
次に、本発明の実施例について図面を参照しながら説明する。
【実施例】
【００１５】
〔実施例１〕図１は本発明移動式自動水洗トイレの全体移動斜図である。
【００１６】
図１において、１は移動式自動水洗トイレである、後部に給水管１７と汚水管１８を架台１２に固定させて、台車２と接続する際に双方の電磁石フランジ１０と１９を取り付け、電磁石フランジ１０と１９は接続切り離れができる、よって接続時に車輪は１５を通して８で止まる、台車の上に載せたリフター３７に油圧シリンダー３８は便器１の上下動作を示している、給水タンク２９に水洗便器１の水を溜めて水洗便器１を円滑に出来るようにしている、汚水タンク２７は水洗便器１を使用した後の排泄物を溜めて、接続後処理される。手摺り５便座４便器蓋６と水圧ポンプ３０その他を載せた、移動式自動水洗トイレに必要な器具として図１に示している、台車図１に示すようにガイドレール７の入り口１６はYの字に入り易く車輪が入りガイドレールストパー８で止まる、止まると同時に汚水管１８と給水管１７双方は電磁石フランジ図９が自動接続する仕組みである。
【００１７】
図２において、床より汚水管１８給水管１７を架台１２に固定して、電磁石フランジ１０と１９に図示しているように、汚水管１８と給水管１７双方のフランジが接続切り離しをしている様子である。排泄物点検口２８は架台１２に汚水管１８と給水管１７は図２に示しているように固定している、
【００１８】
図３において、台車２が切り離れ単独で電動モーター４０を使い動作する。架台側と台車側双方のフランジ１０と１９の自動接続切り離れた際に、バルブ３３と自動開閉弁４２で密閉され漏れないようになっている。給水タンク２９汚水タンク２７双方のタンクを備え，移動式自動水洗トイレ図１はフラシュバルブ３１を使用後自動操作する、水洗機能を円滑にする為に水圧ポンプ３０を備え汚水タンクと汚水管の清掃を洗い流し円滑にする。架台１２から台車２が切り離れた際に双方フランジ１０と１９の手前に自動開閉弁装置４２で密閉され漏れる事は無い。
【００１９】
図４において、便器１下部にリフター３７を備え油圧シリンダー３８でリフターを上下動作できるように図示している、汚水タンク給水タンクは便器１が上下動作するためフレシキホース３２を使用している。便器先端にサポート２５を取り付け安定させてある。
【００２０】
図５において、架台１２へ台車２が接続する手前の様子を矢印で図示している、車輪はガイドレール１５を通りガイドレールスットパー８で止まる。又電動モーター４０はバッテリー５５を使い前輪１４には制御操作で駆動させて自動走行する。
【００２１】
図６において、架台１２と台車２の接続を図示している、双方のバルブ３３は接続と同時に自動開閉弁装置４２が開き、給水タンクに給水され、汚水タンク２７及び汚水管１８は排泄物の清掃を始める仕組みになっている。
【００２２】
図７において、架台１２から台車２が電磁石フランジ１０と１９を使用して、切り離れる様子を図示している、双方のフランジが切り離れる際に給水バルブ３４と汚水バルブ３３は、双方のフランジ手前にバルブが設けてあり自動開閉弁装置４２によって密閉されるようになっている。
【００２３】
図８において、汚水電磁石フランジ１０が切り離れる様子を拡大して説明する、汚水電磁石フランジ１０は切り離れる際に、汚水管１８の清掃は自動で済ませてある。悪臭も無く移動式自動水洗トイレは移動する事が出来る。
【００２４】
図９において、汚水電磁石フランジ１０は台車２と架台１２の接続している様子を拡大して説明する、フランジに突起したピン２０に相手フランジのピン穴２４に入り易く、先端を丸く削られている、フランジに突起したピン２０は相手フランジピン穴２４の穴に入る事で、双方のフランジにズレは無く接続される、接続する際にフランジ接続ガード２１に依ってフランジのズレを２重にガードしている、架台側フランジ１０と１９の溝にパッキン４３を装着してあり、フランジ双方のパッキンの溝で排泄物の漏れを防いでいる。
【００２５】
図１０は施設病棟の全体平面図にシステム化を考えた図である。移動式自動水洗トイレを老人福祉施設や障害者リハビリ病院施設で４〜５人部屋の構図である。各部屋寝台５３の側に備えた制御操作５１は集合制御装置４７で制御される。制御配線５０は各部屋からコントロールボックス４７へ配線されている。自動制御はバルブ操作走行操作及び制御に係る事は集合制御装置から指令をうける。台車２は収納場所４８からセンサー制御で台車が指令を受けて動く。各部屋寝台５３操作スイッチ５１から制御配線５０を通り制御装置４７から指令を受けて使用する。電磁石フランジ１０と１９は接続切り離し作業を省き自動で操作は可能である、架台１２から台車２は切り離れ使用者の側まで集合制御装置４７から制御操作で動く仕組みである。台車２に載せた便器１は体の不自由な人の寝台５３の側まで移動して、介護人の世話が無く自立した排泄・排尿が出来る事を特徴とする移動式自動水洗トイレである。
この発明の一実施形態を図１に示す。
「実施形態の効果」
【００２６】
老人福祉施設や障害者リハビリ病院施設では５〜６人部屋で入院生活をしていた体験から、移動式自動水洗トイレを考え、高齢者障害者がトイレまで行かずに便器が身近に近寄り使用可能となる事が目的で、介護便器として人の手を省き自立で便器を使用できる事は、介護人の人手不足と同時に介護費用も省け大きな経済効果が期待できる。
「他の実施形態」
【００２７】
図１の実施形態では、台車に便器を載せた移動式自動水洗トイレは、電磁石フランジ図９を使用して接続切り離しは自動で行う事を特徴としている、他の実施形態では継ぎ手の自動接続は無く人手が必要となる、現在使用しているポータブル便器と変わりなく人手が掛かり、以前の移動式水洗トイレは給水や排泄物の配管継ぎ手接続部分に人手が係り。使用目的の処理説明と部分説明が明確に示されていない。
【産業上の利用可能性】
【００２８】
高齢者が年々増加している傾向の中、介護人の人手不足も問題とされている、福祉機器用具の開発は進んで要るが、ユーザーが限定され市場ニーズにならない現状と、コスト面が高額で現状では普及するのが難しい面がある、排泄排尿機器用具は特に遅れている分野の一つと思われる。介護人の手が掛かる高齢者時代に限られたユーザーに限定される為、利用可能性は低く多く望む事は現状として難しいと思われるが、人手不足の時代に老人福祉施設及び身体障害者リハビリテーション病院施設に大きな期待が望まれる、介護人の人手不足に大きな成果が望まれると期待している介護便器である。
【図面の簡単な説明】
【００２９】
【図１】本発明移動式自動水洗トイレの全体移動斜図
【図２】架台に固定した、汚水管と給水管の電磁石フランジを示す図
【図３】台車だけの側面全体図
【図４】台車に取り付けたリフターで便器を上下動作図
【図５】台車が架台に近寄り電磁石フランジで接続手前の側面図
【図６】架台と台車が電磁石フランジで接続している側面図
【図７】台車と架台が切り離れた側面図
【図８】電磁石フランジの切り離れた側面図
【図９】電磁石フランジの接続側面図
【図１０】台車の配置と各部屋の配置図及び制御盤
【符号の説明】
【００３０】
１・水洗便器              
２・台車には器具が多く積まれている    
３・便器サポート        
４・便座                  
５・手摺り        
６・便座蓋      
７・車輪ガイドレール 
８・車輪ガイドレールストッパ
９・後輪        
１０・架台側汚水電磁石フランジ    
１１・台車側磁力の無い汚水フランジ
１２・架台      
１３・便器設置ボルト    
１４・前輪左右制御車輪        
１５・車輪ガイド進入口
１６・広角ガイドレール（車輪が入り易く）        
１７・給水管            
１８・汚水管
１９・架台側給水電磁石フランジ          
２０・電磁石フランジ接続ピン
２１・電磁石フランジ接続ガイド      
２２・汚物排泄出口      
２３・給水管受け入れ    
２４・電磁石フランジ差込ピン穴        
２５・Ｕバンドサポート      
２６・汚水管点検口        
２７・汚水タンク        
２８・汚水管点検口キャップ  
２９・給水タンク              
３０・水圧ポンプ        
３１・フラシュバルブは台車に具備している        
３２・フレシキブルホース          
３３・ボールバルブ      
３４・グローブバルブ        
３５・給水管出口          
３６・汚水管入口                  
３７・リフター              
３８・リフター内に油圧シリンダー内臓してある      
３９・逆支弁                      
４０・前輪を駆動する電動モーター  
４１・ボール底部溜め水  
４２・自動開閉弁装置                    
４３・架台側の溝に円形状のパッキンを装着してある  
４４・フランジパッキンの溝      
４５・パイプ接続
４６・架台と台車のフランジ双方の接点
４７・集合制御装置
４８・台車収納場所
４９・各部屋寝台台車定位置
５０・制御配線
５１・各寝台制御操作スイッチ
５２・台車格納ガイドレール
５３・寝台
５４・台車側磁力の無いフランジ
５５・充電池
【手続補正書】
【提出日】平成20年12月5日(2008.12.5)
【手続補正１】
【補正対象書類名】特許請求の範囲
【補正対象項目名】請求項１
【補正方法】変更
【補正の内容】
【請求項１】
床面上に固定された架台と、前輪と後輪を有し、便器及び充電池を載せた台車と、前記床面上に設けられたガイドレール及びガイドレールストッパーから構成され、前記架台に固定された汚水管と給水管を、それぞれ前記台車に設けられた汚水管と給水管接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることを特徴とする、移動式自動水洗トイレ。
【手続補正２】
【補正対象書類名】明細書
【補正対象項目名】００１０
【補正方法】変更
【補正の内容】
【００１０】
本発明記載の請求項１に係る移動式自動水洗トイレは、床面上に固定された架台と、前輪と後輪を有し、便器及び充電池を載せた台車と、前記床面上に設けられたガイドレール及びガイドレールストッパーから構成され、前記架台に固定された汚水管と給水管を、それぞれ前記台車に設けられた汚水管と給水管接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることを特徴とする、移動式自動水洗トイレ。
【手続補正３】
【補正対象書類名】明細書
【補正対象項目名】００１２
【補正方法】変更
【補正の内容】
【００１２】
以上詳しく説明した通り、請求項１記載の移動式自動水洗トイレによると、床面上に固定された架台と、前輪と後輪を有し、便器及び充電池を載せた台車と、前記床面上に設けられたガイドレール及びガイドレールストッパーから構成され、前記架台に固定された汚水管と給水管を、それぞれ前記台車に設けられた汚水管と給水管接続可能とした移動式自動水洗トイレであって、前記便器は、前記台車上で上下に動くものとし、前記充電池によりモーターを制御して回転させることにより前記台車の前記前輪を制御操作して前記台車を走行させ、前記台車の後輪及び前輪が、前記ガイドレールに案内されて、前記後輪が前記ガイドレールストッパーに突き当てられた位置を接続位置とし、前記接続位置において、前記に固定された汚水管と給水管が、前記台車に設けられた汚水管と給水管と接続され、また、接続解除されるものであって、前記架台に固定された汚水管と給水管の継ぎ手部と、前記台車に設けられた汚水管と給水管の継ぎ手部には、いずれも、接続面にパッキンの溝を設けたフランジが形成されており、前記接続位置において、前記電磁石装置を制御することにより、前記架台に固定された汚水管と給水管の継ぎ手部のフランジが、フランジの間に装着されたパッキンを挟んで接続され、また、接続解除されることを特徴とする、前記台車に載せた便器が上下に動く事は、高齢者の下肢筋力低下の衰えを和らげ、便座に座りやすく体の負担を省く事が出来る。